(57)【要約】【課題】  操作性を向上すること。【解決手段】  ＭＦＰは、用紙に画像を形成するための画像形成部と、第１の方向から視認することが可能なように第１画面を表示するとともに、第１の方向と異なる第２の方向から視認することが可能なように第２画面を表示するＬＣＤと、ＬＣＤを制御して第１画面と第２画面とを表示させるＣＰＵと、を備え、ＣＰＵは、階層構造で関連付けられた複数の画像のうちから選ばれた１つの画像を第１画面としてＬＣＤに表示させているときに（Ｓ０２、Ｓ０５、Ｓ０９）、第１画面として表示されている画像の階層構造中の位置を示した画像を第２画面としてＬＣＤに表示させる（Ｓ０３、Ｓ０６、Ｓ１０）。【選択図】        図８
2007320053.tif 000002
【特許請求の範囲】
【請求項１】
記録媒体に画像を形成するための画像形成手段と、
第１の方向から視認することが可能なように第１画面を表示するとともに、前記第１の方向と異なる第２の方向から視認することが可能なように第２画面を表示する表示手段と、
前記表示手段を制御して前記第１画面と前記第２画面とを表示させる表示制御手段と、を備え、
前記表示制御手段は、階層構造で関連付けられた複数の画像のうちから選ばれた１つの画像を前記第１画面として前記表示手段に表示させているときに、前記第１画面として表示されている画像の前記階層構造中の位置を示した画像を前記第２画面として前記表示手段に表示させる、画像形成装置。
【請求項２】
記録媒体に画像を形成するための画像形成手段と、
第１の方向から視認することが可能なように第１画面を表示するとともに、前記第１の方向と異なる第２の方向から視認することが可能なように第２画面を表示する表示手段と、
前記表示手段を制御して前記第１画面と前記第２画面とを表示させる表示制御手段と、
前記第２画面を前記第１画面と同じ画像として表示させる第１表示モードと、前記第２画面を前記第１画面と異なる画像として表示させる第２表示モードとを切り換える切換手段とを備えた、画像形成装置。
【請求項３】
前記表示手段の表示面の角度を変更する変更手段と、
前記表示面の角度を検出する角度検出手段と、
前記切換手段は、前記表示面の角度が第１の角度のときに前記第１表示モードに切換え、前記表示面の角度が第１の角度と異なる第２の角度のときに前記第２表示モードに切換え、
前記表示制御手段は、前記第２表示モードにおいて、前記第２画面を前記第１画面中の一部を拡大した画像として前記表示手段に表示させる、請求項２に記載の画像形成装置。
【請求項４】
状態を検出するための状態検出手段をさらに備え、
状態を説明するメッセージを含む状態説明画像と、該状態に対して予め定められた操作手順を説明するメッセージを含む操作手順説明画像とを予め記憶する画像記憶手段とをさらに備え、
前記切換手段は、前記状態検出手段により検出された状態に応じて、前記第１表示モードと前記第２表示モードとのいずれかに切り換え、
前記表示制御手段は、前記第２表示モードにおいて、前記検出された状態に対応する前記状態説明画像を前記第１画面として前記表示手段に表示させ、前記検出された状態に対応する前記操作手順説明画像を前記第２画面として前記表示手段に表示させる、請求項２に記載の画像形成装置。
【請求項５】
記録媒体に画像を形成するための画像形成手段と、
周辺機器と、
第１の方向から視認することが可能なように第１画面を表示するとともに、前記第１の方向と異なる第２の方向から視認することが可能なように第２画面を表示する表示手段と、
前記表示手段を制御して前記第１画面と前記第２画面とを表示させる表示制御手段とを備え、
前記表示手段は、前記第１の方向が前記表示面の法線から所定の角度だけ傾いた第１の範囲に含まれるように構成され、前記第２の方向が前記第１の範囲外となるよう構成され、
前記表示制御手段は、前記画像形成装置に関する情報を含む画像を前記第１画面として前記表示手段に表示させ、前記周辺機器に関する情報を含む画像を前記第２画面として前記表示手段に表示させる、画像形成装置。
【請求項６】
前記表示制御手段は、前記画像形成装置に関する情報を含む画像を前記第１画面として前記表示手段に表示させ、前記画像形成装置と関係のない情報を含む画像を前記第２画面として前記表示手段に表示させる、請求項２に記載の画像形成装置。
【請求項７】
操作主体を認証するための認証手段をさらに備え、
前記表示制御手段は、前記認証手段による認証結果に基づいて、前記第２画面として表示させる画像を決定する画像決定手段を含む、請求項６に記載の画像形成装置。
【請求項８】
前記表示制御手段は、外部から取得した情報を含む画像を前記第２画面として前記表示手段に表示させる、請求項６に記載の画像形成装置。
【発明の詳細な説明】
【技術分野】
【０００１】
本発明は、画像形成装置に関し、特に複数の画面を同時に表示する表示装置を備えた画像形成装置に関する。
【背景技術】
【０００２】
従来、ＭＦＰ（Ｍｕｌｔｉ  Ｆｕｎｃｔｉｏｎ  Ｐｅｒｉｆｅｒａｌ）で代表される画像形成装置は、ユーザとのインターフェースとして液晶表示装置（ＬＣＤ）が用いられており、限られた表示領域で多くの情報が表示される。このため、ＭＦＰは、複数の画面を予め準備しておき、ＬＣＤに表示する画面を切り換えることで、ユーザに必要な情報を必要なときに知らせるように構成される。複数の画面のうち複写条件を入力するための画面、または、ＭＦＰを設定するための画面は、階層構造で関連付けられている。例えば、複写する用紙を設定するための画面として、用紙を収納する給紙トレイを選択する画面、給紙トレイに収納する用紙サイズを設定する画面等は、同じ系列で異なる階層として関連付けられている。しかしながら、ユーザが階層構造を全て記憶しているとは限らず、現在表示されている画面が階層構造のいずれに位置する画面であるのかを知ることができない。このため、不慣れなユーザは、所望の画面を表示させるまでに、いくつもの画面を表示させてしまうといった問題があった。
【０００３】
また、車椅子に乗るユーザの視線は、直立するユーザの視線に比較して低くなるのに対応して、ＬＣＤの表示面の角度を変更するＭＦＰが知られている。しかしながら、表示面の角度を変更しても、車椅子に乗るユーザの目とＬＣＤの表示面との間の距離が、直立するユーザの目とＬＣＤの表示面との間の距離に比較して長くなってしまう。このため、車椅子に乗るユーザがＬＣＤに表示された情報を視認することが困難であるといった問題がある。
【０００４】
また、画像形成装置に、例えば用紙切れ等のエラーが発生した場合、エラーの発生をユーザに知らせるためにエラーの発生を示すメッセージを含む画面をＬＣＤに表示する。これに加えて、エラーに対応する操作を説明するための画面がＬＣＤに表示されると便利である。しかしながら、２つの画面が異なるため、表示する画面を切り換えなければならず、さらに、エラーに対応する作業をしながら画面を切り換える必要があり、作業が煩雑であった。
【０００５】
さらに、画像形成装置には、用紙を排紙するためのフィニッシャや料金を徴収するためのコインベンダといった周辺装置が接続されるが、周辺装置に関する情報についても、画像形成装置のＬＣＤに表示される。このため、画像形成装置に関する情報と、周辺装置に関する情報とを表示する必要があり、周辺装置が接続されることにより、表示するための画面数が増えてしまい、画面を切り換える作業が増えて、作業が煩雑になってしまうといった問題がある。
【０００６】
一方、特開２００５−７１２８６号公報（特許文献１）には、パララックスバリア（光学系分離素子）の透光性スリットを調整することにより、ＬＣＤの表示面に対する２方向にそれぞれ異なる画像を出力する技術が記載されている。この技術が、カーナビゲーション等に適用されているが、２方向にそれぞれ表示される２つの画像は、二人のユーザ各々で独立して視認され、互いに関連しない２つの画像を表示するものである。
【特許文献１】特開２００５−７１２８６号公報
【発明の開示】
【発明が解決しようとする課題】
【０００７】
この発明は上述した問題点を解決するためになされたもので、この発明の目的の１つは、操作性を向上した画像形成装置を提供することである。
【０００８】
この発明の他の目的は、ユーザに必要な情報をタイムリーに提供することが可能な画像形成装置を提供することである
【課題を解決するための手段】
【０００９】
上述した目的を達成するために、この発明のある局面によれば、画像形成装置は、記録媒体に画像を形成するための画像形成手段と、第１の方向から視認することが可能なように第１画面を表示するとともに、第１の方向と異なる第２の方向から視認することが可能なように第２画面を表示する表示手段と、表示手段を制御して第１画面と第２画面とを表示させる表示制御手段と、を備え、表示制御手段は、階層構造で関連付けられた複数の画像のうちから選ばれた１つの画像を第１画面として表示手段に表示させているときに、第１画面として表示されている画像の階層構造中の位置を示した画像を第２画面として表示手段に表示させる。
【００１０】
この局面に従えば、階層構造で関連付けられた複数の画像のうちから選ばれた１つの画像を第１画面として表示しているときに、第１画面として表示されている画像の階層構造中の位置を示した画像を第２画面として表示する。このため、ユーザは、第１画面として表示されている画像の階層構造中の位置を判断することができる。その結果、複数の画面の遷移を容易に把握することが可能となり、操作性を向上した画像形成装置を提供することができる。
【００１１】
この発明の他の局面によれば、画像形成装置は、記録媒体に画像を形成するための画像形成手段と、第１の方向から視認することが可能なように第１画面を表示するとともに、第１の方向と異なる第２の方向から視認することが可能なように第２画面を表示する表示手段と、表示手段を制御して第１画面と第２画面とを表示させる表示制御手段と、第２画面を第１画面と同じ画像として表示させる第１表示モードと、第２画面を第１画面と異なる画像として表示させる第２表示モードとを切り換える切換手段とを備える。
【００１２】
この局面に従えば、第２画面を第１画面と同じ画像として表示させる第１表示モードと、第２画面を第１画面と異なる画像として表示させる第２表示モードとを切り換える。このため、必要な場合に限って第１画面に加えて第２画面が表示される。第１画面を表示しつつ必要に応じて第１画面とは別の第２画面を表示することで、操作性を向上した画像形成装置を提供することができる。
【００１３】
好ましくは、表示手段の表示面の角度を変更する変更手段と、表示面の角度を検出する角度検出手段と、切換手段は、表示面の角度が第１の角度のときに第１表示モードに切換え、表示面の角度が第１の角度と異なる第２の角度のときに第２表示モードに切換え、表示制御手段は、第２表示モードにおいて、第２画面を第１画面中の一部を拡大した画像として表示手段に表示させる。
【００１４】
この局面に従えば、表示面の角度が第１の角度のときに第２画面を第１画面と同じ画像を表示する第１表示モードに切換え、表示面の角度が第２の角度のときに第２画面を第１画面中の一部を拡大した画像として表示する第２表示モードに切換える。このため、視線の高さが異なる二人のユーザに別々の画面を提示することができる。例えば、車椅子に乗るユーザは、画像形成装置から離れた位置から表示画面を見るが、直立するユーザは画像形成装置に近い位置で表示面を見ることになるので、車椅子に乗るユーザと直立するユーザ各々が見やすい画面を表示することができる。
【００１５】
好ましくは、状態を検出するための状態検出手段をさらに備え、状態を説明するメッセージを含む状態説明画像と、該状態に対して予め定められた操作手順を説明するメッセージを含む操作手順説明画像とを予め記憶する画像記憶手段とをさらに備え、切換手段は、状態検出手段により検出された状態に応じて、第１表示モードと第２表示モードとのいずれかに切り換え、表示制御手段は、第２表示モードにおいて、検出された状態に対応する状態説明画像を第１画面として表示手段に表示させ、検出された状態に対応する操作手順説明画像を第２画面として表示手段に表示させる。
【００１６】
この局面に従えば、検出された状態に応じて、第１表示モードと第２表示モードとのいずれかに切り換え、第２表示モードにおいて、状態に対応する状態説明画像を第１画面として表示し、状態に対応する操作手順説明画像を第２画面として表示する。このため、状態の変化をユーザに知らせることができると共に、ユーザが変化した状態に対応する姿勢となったときに操作の手順をユーザに知らせることができる。その結果、ユーザに必要な情報をタイムリーに提供することが可能な画像形成装置を提供することができる。
【００１７】
この発明の他の局面によれば、記録媒体に画像を形成するための画像形成手段と、周辺機器と、第１の方向から視認することが可能なように第１画面を表示するとともに、第１の方向と異なる第２の方向から視認することが可能なように第２画面を表示する表示手段と、表示手段を制御して第１画面と第２画面とを表示させる表示制御手段とを備え、表示手段は、第１の方向が表示面の法線から所定の角度だけ傾いた第１の範囲に含まれるように構成され、第２の方向が第１の範囲外となるよう構成され、表示制御手段は、画像形成装置に関する情報を含む画像を第１画面として表示手段に表示させ、周辺機器に関する情報を含む画像を第２画面として表示手段に表示させる。
【００１８】
この局面に従えば、第１の方向から視認することが可能なように第１画面を表示するとともに、第２の方向から視認することが可能なように第２画面を表示し、画像形成装置に関する情報を含む画像を第１画面として表示し、周辺機器に関する情報を含む画像を第２画面として表示する。このため、画像形成装置の正面に立つユーザに画像形成装置に関する情報を知らせることができると共に、そのユーザが周辺機器の正面に立ったとき周辺機器に関する情報を知らせることができる。その結果、ユーザに必要な情報をタイムリーに提供することが可能な画像形成装置を提供することができる。
【００１９】
好ましくは、表示制御手段は、画像形成装置に関する情報を含む画像を第１画面として表示手段に表示させ、画像形成装置と関係のない情報を含む画像を第２画面として表示手段に表示させる。
【００２０】
この局面に従えば、画像形成装置に関する情報を含む画像を第１画面として表示し、画像形成装置と関係のない情報を含む画像を第２画面として表示する。このため、ユーザに必要な情報をタイムリーに提供することが可能な画像形成装置を提供することができる。
【００２１】
好ましくは、操作主体を認証するための認証手段をさらに備え、表示制御手段は、認証手段による認証結果に基づいて、第２画面として表示させる画像を決定する画像決定手段を含む。
【００２２】
好ましくは、表示制御手段は、外部から取得した情報を含む画像を第２画面として表示手段に表示させる。
【発明を実施するための最良の形態】
【００２３】
以下、本発明の実施の形態について図面を参照して説明する。以下の説明では同一の部品には同一の符号を付してある。それらの名称および機能も同じである。したがってそれらについての詳細な説明は繰返さない。
【００２４】
＜第１の実施の形態＞
図１は、画像形成システムの外観を示す斜視図である。図１を参照して、画像形成システム１は、ＭＦＰ２と、フィニッシャ６０と、コインベンダ７０とを含む。ＭＦＰ２は、自動原稿搬送装置（ＡＤＦ）１０と、原稿読取部２０と、画像形成部３０と、給紙部５０と、ユーザインターフェースとして用いられる操作パネル８０とを含む。ＭＦＰ２は、前ドア３を開閉自在であり、前ドア３が開いた状態で内部を露出する。
【００２５】
フィニッシャ６０は、パンチキット、ステープルキット、集積トレイおよび後処理トレイを備える。画像形成部３０から排出された用紙はフィニッシャに取り込まれ、パンチキットにて穴あけ処理が行われ、集積トレイあるいは後処理トレイのどちらか一方に排出される。集積トレイは予め定められた枚数までしか排紙できないが、後処理トレイは排出枚数に応じて上下方向にエレベートすることにより多枚数まで排紙できる。ステープルキットは後処理トレイに排出された用紙を再度給紙し、ステープル処理後、集積トレイに排紙する。
【００２６】
コインベンダ７０は、コイン投入口７２と返却ボタン７３と、表示部７１と、コイン返却口７４とを含む。コインベンダ７０は、コイン投入口７２に投入されるコインを受け付け、投入されるコインから残金を算出し、表示部７１に残金を表示する。また、コインベンダ７０は、残金に応じた回数の画像形成を、画像形成部３０に許容する。また、コインベンダ７０は、残金が残っている段階で、返却ボタン７３が押下されると、残金に相当する枚数のコインをコイン返却口７４に排出する。
【００２７】
図２は、本実施の形態におけるＭＦＰの内部構成を示す断面図である。図２を参照して、ＭＦＰ２は、ＭＦＰ２の全体を制御するためのメイン回路１００と、ＡＤＦ１０と、原稿読取部２０と、自動両面ユニット４０と、画像形成部３０と、給紙部５０と、ファンモータ９２と、ファンモータ９２を制御するためのファンモータ制御部９１とを含む。
【００２８】
ＡＤＦ１０は、原稿給紙トレイ１１上にセットされた複数枚の原稿を１枚ずつ自動的に原稿読取部２０のプラテンガラス上に設定された所定の原稿読み取り位置まで搬送し、原稿読取部２０により原稿画像が読み取られた原稿を原稿排紙トレイ１２上に排出する。原稿読取部２０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である読取データに変換して、画像形成部３０に出力する。
【００２９】
画像形成部３０は、周知の電子写真方式により画像を形成するものであって、感光体ドラム３１ａ，３１ｂ，３１ｃ，３１ｄと、露光ユニット３２ａ，３２ｂ，３２ｃ，３２ｄと、現像ユニット３３ａ，３３ｂ，３３ｃ，３３ｄと、転写ベルト３５と、を備える。露光ユニット３２ａ，３２ｂ，３２ｃ，３２ｄは、原稿読取部２０から入力される読取データにシェーディング補正などの各種のデータ処理を施し、データ処理後のデータを主走査ラインごとにレーザダイオードを駆動するための駆動信号に変換し、感光体ドラム３１ａ，３１ｂ，３１ｃ，３１ｄ上にレーザ光をそれぞれ走査する。これにより、感光体ドラム３１ａ，３１ｂ，３１ｃ，３１ｄそれぞれに静電潜像が形成される。現像ユニット３３ａ，３３ｂ，３３ｃ，３３ｄはイエロー、マゼンタ、シアン、黒の４色にそれぞれ対応しており、各色のトナーを収納するトナーカートリッジ（トナー供給ユニット）が装着されている。現像ユニット３３ａ，３３ｂ，３３ｃ，３３ｄは、感光体ドラム３１ａ，３１ｂ，３１ｃ，３１ｄ上に形成された静電潜像にそれぞれトナーを載せ、トナー像を形成する。感光体ドラム３１ａ，３１ｂ，３１ｃ，３１ｄそれぞれ上に形成されたトナー像は、転写ベルト３５上に、転写チャージャにより転写される。転写ベルト３５は、各色に対応する感光体ドラム３１ａ，３１ｂ，３１ｃ，３１ｄ上のトナー像を全て重ね合わせて、給紙部５０から搬送されてくる用紙に転写する。また、現像ユニット３３ａ，３３ｂ，３３ｃ，３３ｄは、トナー残量センサ３４ａ，３４ｂ，３４ｃ，３４ｄをそれぞれ含み、トナーカートリッジ内に収納されているトナーの残量を検出する。
【００３０】
給紙部５０は、用紙を収納しておくための給紙トレイ５１，５３，５５と、この用紙を繰り出すためのピックアップローラ５２，５４，５６とを備え、画像形成部３０に用紙を搬送する。給紙トレイ５１，５３，５５は、収納する用紙が存在しないことを検出するための用紙残量センサ５１Ａ，５３Ａ，５５Ａをそれぞれ含む。
【００３１】
自動両面ユニット４０は、片面が印刷された用紙を裏表反転させるために、通紙経路上で一旦スイッチバックさせ、再度給紙することによって、画像形成部３０により用紙の両面に画像を形成する両面印刷を可能にする。
【００３２】
図３は、メイン回路の構成の一例を示すブロック図である。図３を参照して、メイン回路１００は、ＣＰＵ１０１と、通信インターフェース（Ｉ／Ｆ）部１０２と、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１０５と、フィニッシャ通信部６０Ａと、コインベンダ通信部７０Ａとを含む。
【００３３】
ＣＰＵ１０１は、自動原稿搬送装置１０、原稿読取部２０、画像形成部３０、自動両面ユニット４０、給紙部５０、操作パネル８０およびファンモータ制御部９１と接続され、ＭＦＰ２の全体を制御する。また、ＣＰＵ１０１は、画像形成部３０が画像形成した回数をカウントするためのプリントカウンタ１０６と、操作パネル８０の傾き角を検出するための角度検出センサ１０７と、表示モード切換スイッチ１０８と、操作パネル８０の傾き角度を検出するための角度検出センサ１０７と、トナー残量センサ３４ａ，３４ｂ，３４ｃ，３４ｄと、用紙残量センサ５１Ａ，５３Ａ，５５Ａと接続されている。
【００３４】
通信Ｉ／Ｆ部１０２は、パーソナルコンピュータ等が接続された外部ネットワークにＣＰＵ１０１を接続するためのインターフェースである。パーソナルコンピュータから送信されるプリントデータは、通信Ｉ／Ｆ部１０２で受信され、ＣＰＵ１０１に出力される。
【００３５】
ＲＯＭ１０３は、ＣＰＵ１０１が実行するプログラム、またはそのプログラムを実行するために必要なデータを記憶する。ＲＡＭ１０４は、ＣＰＵ１０１がプログラムを実行する際の作業領域として用いられる。また、ＲＡＭ１０４は、原稿読取部２０から連続的に送られてくる読取データ（画像データ）を一時的に記憶する。
【００３６】
操作パネル８０は、表示部８０Ａと操作部８０Ｂとを含む。操作パネルについては後述するが、表示部８０Ａは、液晶表示装置（ＬＣＤ）、有機ＥＬＤ（Ｅｌｅｃｔｒｏ  Ｌｕｍｉｎｅｓｃｅｎｃｅ  Ｄｉｓｐｌａｙ）等の表示装置であり、ユーザに対する指示メニューや取得した画像データに関する情報等を表示する。操作部８０Ｂは、複数のキーを備え、キーに対応するユーザの操作による各種の指示、文字、数字などのデータの入力を受付ける。操作部８０Ｂは、表示部８０Ａ上に設けられたタッチパネルをさらに含む。操作パネル８０は、本体２に対して回転自在に取り付けられている。すなわち、本体２に対して表示部８０Ａの表示面が上方向を向く姿勢、斜め方向を向く姿勢の２つの姿勢を取ることができる。表示部８０Ａの位置は、ユーザにより変更され、定められる。角度検出センサ１０７は、操作パネル８０の本体２に対する回転角度を検出する。このため、ＣＰＵ１０１は、角度検出センサ１０７の出力から操作パネル８０の本体に対する姿勢を検出することができる。なお、角度検出センサ１０７は、角度を検出するようにしたが、操作パネル８０が本体２に対して表示部８０Ａの表示面が上方向を向く姿勢にあるときにＯＦＦとなるスイッチ、操作パネル８０が本体２に対して表示部８０Ａの表示面が斜め方向を向く姿勢にあるときにＯＮとなるスイッチを設けるようにして、２つの姿勢を検出するようにしてもよい。また、操作パネル８０の姿勢は、２つに限られず、複数あってもよい。
【００３７】
表示モード切換スイッチ１０８は、ユーザにより切り換えられ、第１表示モードから第２表示モードへの切換を許可する場合にＯＮとされ、第１表示モードから第２表示モードへの切換を許可しない場合にＯＦＦとされる。第１表示モードは、第１画面に表示される画像と同じ画像を第２画面に表示する表示モードであり、第２表示モードは、第１画面に表示される画像と異なる画像を第２画面に表示する表示モードである。ユーザが第２表示モードへの切換え可否を設定することができるようにして、第２画面を表示するか否かをユーザの意思で選択することができる。
【００３８】
フィニッシャ通信部６０Ａは、フィニッシャ６０と接続され、ＣＰＵ１０１がフィニッシャ６０と通信するための通信インターフェースである。コインベンダ通信部７０Ａは、コインベンダ７０と接続され、ＣＰＵ１０１がコインベンダ７０と通信するための通信インターフェースである。
【００３９】
ファンモータ制御部９１は、ＣＰＵ１０１により制御され、ファンモータ９２を駆動する。また、ファンモータ制御部９１は、ファンモータ９２の駆動状態を検出し、駆動しているか否かの状態信号をＣＰＵ１０１に出力する。ＣＰＵ１０１は、ファンモータ制御部９１にファンモータの駆動を指示したにもかかわらず、ファンモータ制御部９１からファンモータが駆動していないことを示す状態信号が入力されると、ファンモータにトラブルエラーが発生したことを検出する。
【００４０】
給紙部５０は、給紙トレイ５１，５３，５５それぞれに対応して、タイマ５７、リフトアップセンサ５８、リフトアップモータ５９とを含む。ここでは、給紙トレイ５５を例に説明する。給紙トレイ５５は、ＭＦＰ２の本体内に挿入されると、リフトアップモータ５９を駆動させて、収納された用紙を上昇させる。用紙は上昇台上に載せられ、リフトアップモータ５９は、給紙トレイ５５が本体内に挿入された時点で最も下の位置にある上昇台を上昇させる。リフトアップセンサ５８は、用紙の最上段が、ピックアップローラ５６に当接する位置に設置され、用紙の最上段がピックアップローラに当接する位置まで上昇したことを検出する。タイマ５７は、リフトアップモータが駆動を開始してからの経過時間を計時する。ＣＰＵ１０１は、タイマ５７で計時された時間が、用紙が収納されていない状態で、リフトアップモータ５９を駆動させて、用紙が載せられた上昇台がピックアップローラに当接する位置まで上昇する時間を超えてもまだ、リフトアップセンサ５８が上昇台を検出しなければ、トラブルエラーが発生したことを検出する。
【００４１】
ＭＦＰ２は、ジョブ実行中モード、スタンバイモードおよびスリープモードの３つの動作モードのいずれかに、動作モードを切換える。ＭＦＰ２は、電源が投入された後、スタンバイモードに切換える。その後、ジョブが入力されて、ジョブの実行が指示されると、スタンバイモードからジョブ実行中モードに切換える。一方、スタンバイモードからジョブ実行中モードに切り換えることなく、予め定められた所定の時間が経過すると、スリープモードに切換える。スリープモードは、電力の消費を抑えたモードである。ＭＦＰ２は、スリープモードにあるときに、操作パネル８０に操作の入力があるとスタンバイモードに切り換える。
【００４２】
図４は、操作パネルの平面図である。図４を参照して、操作パネル８０は、表示部８０ＡとしてのＬＣＤ８１と、操作部８０Ｂとしてのテンキー８２、クリアキー８３Ａ、パネルリセットキー８３Ｂ、ストップキー８３Ｃ、スタートキー８４およびＬＣＤ上に重畳されたタッチパネル８５とを含む。テンキー８２は、複写枚数などの置数、複写倍率、ファクシミリ送信先の電話番号等の入力に用いられる。クリアキー８３Ａは、置数などを予め定められた既定値に戻す指示を入力するために用いられる。パネルリセットキー８３Ｂは、ＭＦＰ２内部に設定された設定値を既定値に戻す指示を入力するために用いられる。ストップキー８３Ｃは、ＭＦＰ２が実行している動作を中止させる指示を入力するために用いられる。スタートキー８４は、ＭＦＰ２に指示した動作の開始を指示するために用いられる。タッチパネル８５は、透明な部材からなり、ＬＣＤ８１上に重畳されて設けられる。このため、ＬＣＤ８１にキーを表示させれば、ユーザがそのキーを指示すれば、タッチパネル８５がその指示を受け付ける。
【００４３】
ＬＣＤ８１は、特開２００５−７１２８６号公報に記載されているように、パララックスバリア（光学系分離素子）の透光性スリットを調整することにより、ＬＣＤ８１の表示面に対する２方向にそれぞれ異なる画像を出力することができる。パララックスバリアは、不透明領域によって隔たれた垂直または水平な透光性スリットを複数有するスクリーンであり、ＬＣＤ８１のある画像を透過した光がその画素に対応する透光性スリットを介して第１の方向に出力され、別の画素を透過した光はその画素に対応する透光性スリットを介して第２の方向に出力される。換言すれば、ＬＣＤ８１は、第１の方向から視認することが可能なように第１画面を表示するとともに、第２の方向から視認することが可能なように第２画面を表示することが可能である。
【００４４】
パララックスバリアを、不透明領域によって隔たれた水平な透光性スリットを複数有するスクリーンとすれば、ユーザが立つ位置とＭＦＰ２との間の距離によって、異なる２つの画像をユーザが視認可能になる。
【００４５】
図５は、ユーザとＭＦＰとの位置とユーザの視線との関係を示す第１の図である。図５を参照して、ユーザがＭＦＰ２の近くに立つ場合の視線Ａと、少し後退してＭＦＰ２の正面から離れて立つ場合の視線Ｂとで、操作パネル８０に対する角度が異なる。操作パネル８０は、ＭＦＰ２の上面にＬＣＤ８１の表示面を上方に向けた姿勢に固定される。視線Ａは、視線Ｂに比較して、ＬＣＤ８１の表示面の法線となす角が小さい。以下、ＬＣＤ８１に表示される画像のうち、ユーザが視線Ａで視認可能な画像を第１画面といい、視線Ｂで視認可能な画像を第２画面という。
【００４６】
本実施の形態におけるＭＦＰ２は、ＬＣＤ８１に表示するための複数の画面を階層構造で関連付けてＥＥＰＲＯＭ１０５に記憶しており、ＣＰＵ１０１は、ＥＥＰＲＯＭ１０５から所定の画面を読み出して、ＬＣＤ８１に表示する。各階層において定義された画面は、下位の階層において定義された画面と関連付けられており、下位の階層において関連付けられた画面に表示を切換えるための遷移ボタンを含む。ここでは、最上位の階層の第１階層、その下位の第２階層、および第２階層より下位の第３階層の階層構造が定義されているものとして、説明する。
【００４７】
図６は、ＬＣＤに表示される操作画面の一例を示す図である。図６（Ａ）は、第１階層に定義される基本操作画面の一例を示す図である。この基本操作画面は、ＭＦＰ２に電源が投入された段階で、最初にＬＣＤ８１に第１画面として表示される。基本操作画面は、用紙サイズを設定する給紙トレイを選択するための給紙トレイ選択画面に表示する画面を遷移させるための遷移ボタンと、複写倍率を設定するための複写倍率設定画面に表示する画面を遷移させるための遷移ボタンと、露光量を設定するための露光量設定画面に表示する画面を遷移させるための遷移ボタンとを含む。給紙トレイ選択画面、複写倍率設定画面および露光量設定画面は、基本操作画面に関連付けられた画面であって、第２階層に定義される画面である。
【００４８】
図６（Ｂ）は、第２階層に定義される給紙トレイ選択画面の一例を示す図である。この給紙トレイ選択画面は、図６（Ａ）に示した基本画面において、給紙トレイ選択画面に表示する画面を遷移させるための遷移ボタンが指示されることによりＬＣＤ８１に第１画面として表示される。第１給紙トレイ、第２給紙トレイおよび第３給紙トレイそれぞれを選択するための選択ボタンと、戻るの文字が表示された遷移ボタンと、変更の文字が表示された遷移ボタンとを含む。戻るの文字が表示されたボタンは、上位階層の画面に表示する画面を遷移させるための遷移ボタンである。ここでは、戻るの文字が表示された遷移ボタンが指示されると、図６（Ａ）に示した基本操作画面が第１画面としてＬＣＤ８１に表示される。変更の文字が表されたボタンは、第１給紙トレイ、第２給紙トレイおよび第３給紙トレイのうち選択ボタンにより選択された給紙トレイに対して、用紙サイズを設定するための用紙サイズ設定画面に表示する画面を遷移させるための遷移ボタンである。用紙サイズ設定画面は、給紙トレイ選択画面に関連付けられ、第３階層に定義される画面である。
【００４９】
図６（Ｃ）は、第３階層に定義される用紙サイズ設定画面の一例を示す図である。この用紙サイズ設定画面は、図６（Ｂ）に示した、給紙トレイ選択画面において、第１給紙トレイが選択された状態で、変更の文字が表された遷移ボタンが指示されることによりＬＣＤ８１に第１画面として表示される。用紙サイズ設定画面は、各用紙サイズを設定するためのボタンと、戻るの文字が表されたボタンとを含む。用紙サイズを設定するためのボタンが指示されると、指示されたボタンに対応する用紙サイズが設定される。図では、Ａ４サイズが第１給紙トレイに設定されている状態を示している。戻るの文字が表示されたボタンは、上位階層の画面に表示する画面を遷移させるための遷移ボタンである。ここでは、戻るの文字が表示された遷移ボタンが指示されると、図６（Ｂ）に示した用紙サイズ選択画面が第１画面としてＬＣＤ８１に表示される。
【００５０】
図７（Ａ）は、階層構造を示す階層表示画面の一例を示す第１の図である。図７（Ａ）に示す階層表示画面は、図６（Ｂ）に示した給紙トレイ選択画面が第１画面としてＬＣＤ８１に表示されているときに、第２画面としてＬＣＤ８１に表示される階層表示画面を示している。図７（Ａ）を参照して、階層表示画面は、階層構造の全体を示しており、最上段に第１階層の画面の位置を示し、中段に第２階層の画面の位置を示し、下段に第３階層の画面の位置を示す。図７（Ａ）に示す階層表示画面は、対応する第１画面、ここでは第２階層に定義された給紙トレイ選択画面の階層構造における位置をハッチングで示している。ユーザが第２画面として表示された階層表示画面を見ることにより、第１画面に表示されている給紙トレイ選択画面が複数の画面が関連付けられて構成される階層構造のいずれに位置するかを確認することができる。
【００５１】
図７（Ｂ）は、階層構造を示す階層表示画面の一例を示す第２の図である。図７（Ｂ）に示す階層表示画面は、図６（Ｃ）に示した用紙サイズ設定画面が第１画面としてＬＣＤ８１に表示されているときに、第２画面としてＬＣＤ８１に表示される。図７（Ｂ）を参照して、階層表示画面は、階層構造の全体を示しており、対応する第１画面、ここでは第３階層に定義された用紙サイズ設定画面の階層構造における位置をハッチングで示している。ユーザが第２画面として表示された階層表示画面を見ることにより、第１画面に表示されている用紙サイズ設定画面が複数の画面が関連付けられて構成される階層構造のいずれに位置するかを確認することができる。
【００５２】
図８は、表示制御処理の流れの一例を示す第１のフローチャートである。この表示制御処理は、ＣＰＵ１０１がＲＯＭ１０３に記憶された表示制御プログラムを実行することにより、ＣＰＵ１０１により実行される処理である。図８を参照して、ＣＰＵ１０１は、ＭＦＰ２の動作モードがスタンバイモードか否かを判断する（ステップＳ０１）。スタンバイモードであれば処理をステップＳ０２に進め、スタンバイモードでなければ処理を修了する。
【００５３】
ステップＳ０２において、第１階層の画面を第１画面としてＬＣＤ８１に表示する。ここでは、図６（Ａ）に示した基本操作画面を第１画面としてＬＣＤ８１に表示する。そして、第１画面と同じ基本操作画面を第２画面としてＬＣＤ８１に表示する（ステップＳ０３）。このため、ユーザは、視線Ａおよび視線Ｂのいずれからも基本操作画面を視認することになる。
【００５４】
ステップＳ０４においては、ＬＣＤ８１の第１画面に第１階層の画面が表示中か否かを判断する。第１階層の画面を表示中であれば処理をステップＳ０５に進め、そうでなければ処理をステップＳ１１に進める。ステップＳ０５においては、第２階層への遷移ボタンが押下されたか否かを判断する。第２階層への遷移ボタンが押下されたならば処理をステップＳ０６に進め、そうでなければ処理をステップＳ０８に進める。ここでは、ＬＣＤ８１に表示した基本画面において、給紙トレイ選択画面に表示する画面を遷移させるためのボタンが指示されたとする。
【００５５】
ステップＳ０６においては、ステップＳ０５において指示された遷移ボタンに対応する第２階層の画面を第１画面としてＬＣＤ８１に表示する。ここでは、図６（Ｂ）に示した給紙トレイ選択画面が第１画面としてＬＣＤ８１に第１画面として表示される。次のステップＳ０７においては、階層表示画面を第２画面としてＬＣＤ８１に表示する。ここでは、給紙トレイ選択画面に対応する、図７（Ａ）に示した階層表示画面が第２画面としてＬＣＤ８１に表示される。このため、ユーザがＭＦＰ２から少し後方に離れると視線ＢでＬＣＤ８１を見ることになるので、第２画面として表示された階層表示画面を見ることができる。ユーザは、階層表示画面を見ることにより、ＭＦＰ２に近づいた視線Ａで見る給紙トレイ選択画面が複数の画面が関連付けられて構成される階層構造のいずれに位置するかを確認することができる。
【００５６】
ステップＳ０８においては、給紙トレイ選択画面に含まれる、戻るの文字が表示された遷移ボタンが押下されたか否かを判断する。戻るの文字が表示された遷移ボタンが押下されると処理をステップＳ０９に進め、そうでなければ処理をステップＳ１１に進める。ステップＳ０９においては、第１階層の画面を第１画面としてＬＣＤ８１に表示する。そして、第１画面と同じ基本操作画面を第２画面としてＬＣＤ８１に表示し（ステップＳ１０）、処理をステップＳ１１に進める。ステップＳ１１においては、ＬＣＤ８１の第１画面に第２階層の画面が表示中か否かを判断する。第２階層の画面を表示中であれば処理をステップＳ１２に進め、そうでなければ処理をステップＳ１８に進める。ステップＳ１２においては、第３階層への遷移ボタンが押下されたか否かを判断する。第３階層への遷移ボタンが押下されたならば処理をステップＳ１３に進め、そうでなければ処理をステップＳ１５に進める。ここでは、ステップＳ１２において、給紙トレイ選択画面の変更の文字が表された遷移ボタンが指示されたとする。
【００５７】
ステップＳ１３においては、ステップＳ１２において指示された遷移ボタンに対応する第３階層の画面を第１画面としてＬＣＤ８１に表示する。ここでは、図６（Ｃ）に示した用紙サイズ設定画面がＬＣＤ８１に第１画面として表示される。次のステップＳ１４においては、階層表示画面を第２画面としてＬＣＤ８１に表示する。ここでは、用紙サイズ設定画面に対応する、図７（Ｂ）に示した階層表示画面が第２画面としてＬＣＤ８１に表示される。このため、ユーザがＭＦＰ２から後方に少し離れると視線ＢでＬＣＤ８１を見ることになるので、第２画面として表示された階層表示画面を見ることができる。ユーザは、階層表示画面を見ることにより、ＭＦＰ２に近づいた視線Ａで見る用紙サイズ設定画面が複数の画面が関連付けられて構成される階層構造のいずれに位置するかを確認することができる。
【００５８】
ステップＳ１５においては、用紙サイズ設定画面に含まれる、戻るの文字が表示された遷移ボタンが押下されたか否かを判断する。戻るの文字が表示された遷移ボタンが押下されると処理をステップＳ１６に進め、そうでなければ処理をステップＳ１８に進める。ステップＳ１６においては、第３階層の画面に関連する第２階層の画面を第１画面としてＬＣＤ８１に表示する。ここでは、図６（Ｂ）に示した給紙トレイ選択画面が第１画面としてＬＣＤ８１に第１画面として表示される。次のステップＳ１７においては、階層表示画面を第２画面としてＬＣＤ８１に表示する。そして、ステップＳ１８においては、給紙トレイ選択画面で選択された給紙トレイに収納する用紙として、用紙サイズ設定画面で設定された用紙サイズを設定し、処理を終了する。
【００５９】
以上説明したように第１の実施の形態におけるＭＦＰ２は、ＬＣＤ８１に第１画面と第２画面とを表示するが、第１画面と第２画面とを関連する画像としている。具体的には、階層構造で関連付けられた複数の画面のうちいずれか１つを第１画面として表示し、階層構造の全体を示し、第１画面の階層構造における位置をハッチングで示した階層表示画面を第２画面として表示する。このため、ユーザは、ＭＦＰ２から後方に少し離れた位置から視線Ｂで階層表示画面を見ることにより、ＭＦＰ２に近づいた位置から視線Ａで見る第１画面が階層構造のいずれに位置するかを確認することができる。その結果、複数の画面の遷移を容易に把握することができるので、画像形成条件の設定等が容易となり、操作性が向上する。
【００６０】
また、表示モード切換スイッチ１０８がＯＮに切り換えられているときに、図８に示した表示モード切換処理を実行するようにし、表示モード切換スイッチ１０８がＯＦＦに切り換えられているときに、図８に示した表示モード切換処理を実行しないようにすれば、階層表示画面を第２画面として表示するか否かを切り換えることができる。このため、ユーザの意思により階層表示画面を表示するか否かを決定することができる。
【００６１】
＜第２の実施の形態＞
ＭＦＰ２の操作パネル８０は、ＬＣＤ８１の表示面の角度を変更可能である。第２の実施の形態におけるＭＦＰ２は、ＬＣＤ８１の表示面の角度により、第２画面に表示する画像を、第１画面に表示する画像と同じにするか、異なる画像とするかを切換える。
【００６２】
図９は、ユーザとＭＦＰとの位置とユーザの視線との関係を示す第２の図である。図１０は、ユーザとＭＦＰとの位置とユーザの視線との関係を示す第３の図である。図９を参照して、ユーザがＭＦＰ２の操作パネル８０の角度を第１の角度にしてＬＣＤ８１を見る視線Ａを示している。図１０を参照して、車椅子に乗ったユーザがＭＦＰ２の操作パネル８０の角度を第２の角度にしてＬＣＤ８１を見る視線Ｂを示している。操作パネル８０の角度は、角度検出センサ１０７により検出される。視線Ａと、視線Ｂとで、操作パネル８０に対する角度が異なる。視線Ａは、視線Ｂに比較して、ＬＣＤ８１の表示面の法線となす角が小さい。図１０において、操作パネル８０が第２の角度にあるとき、車椅子に乗ったユーザとは別のユーザが、車椅子の横に立ってＬＣＤ８１を見る視線ＡとＬＣＤ８１の法線とのなす角は、図９における視線ＡとＬＣＤ８１の法線とのなす角に近い。このため、操作パネル８０が第２の角度にあるとき、車椅子に乗ったユーザは、視線ＢでＬＣＤ８１を見ることになり、車椅子の横に立つユーザは、視線ＡでＬＣＤ８１を見ることになる。視線Ａで視認可能な画像は第１画面であり、視線Ｂで視認可能な画像は第２画面である。
【００６３】
図１１は、操作パネル８０が第２の角度にあるとき、ＬＣＤ８１に表示される第１画面の一例を示す図である。図１１は、基本操作画面の一例を示し、図６（Ａ）に示した基本操作画面と同じである。この基本操作画面は、操作パネル８０が第２の角度にあるとき、ＬＣＤ８１に第１画面として表示される。図１２は、操作パネル８０が第２の角度にあるとき、ＬＣＤ８１に第２画面として表示される画面の一例を示す図である。図１２を参照して、図１１に示した基本操作画面に含まれる「用紙」、「倍率」、「露光」の文字を拡大表示した画面が第２画面としてＬＣＤ８１に表示される。車椅子に乗ったユーザは、操作パネル８０を第２の角度にすることで、ＬＣＤ８１を見やすくなるが、ＬＣＤ８１とユーザの眼の位置との間の距離が、車椅子に乗ることなくＬＣＤ８１を見るユーザの眼の位置との間の距離に比較して長くなる。このため、ＬＣＤ８１に表示された文字を見やすくすることができる。
【００６４】
図１３は、第２の実施の形態におけるＭＦＰで実行される表示制御処理の一例を示す第２のフローチャートである。この表示制御処理は、ＣＰＵ１０１がＲＯＭ１０３に記憶された表示制御プログラムを実行することにより、ＣＰＵ１０１により実行される処理である。図１３を参照して、ＣＰＵ１０１は、通常文字の画面を第１画面としてＬＣＤ８１に表示する（ステップＳ２１）。次に、角度検出センサ１０７がＯＮであるか否かを検出する（ステップＳ２２）。角度検出センサ１０７がＯＮであれば処理をステップＳ２３に進め、ＯＮでなければ処理をステップＳ２４に進める。角度検出センサ１０７は、操作パネル８０のＭＦＰ２本体に対する角度が第２の角度のときにＯＮとなり、第１の角度のときにＯＦＦとなる。
【００６５】
ステップＳ２３において、拡大文字の操作画面を第１画面としてＬＣＤ８１に表示する。ここでは、図１２に示した第２画面をＬＣＤ８１に表示する。このため、車椅子に乗らないユーザは、通常文字の基本操作画面を視認するが、車椅子に乗るユーザは、拡大文字の基本操作画面を視認することになる。車椅子に乗るユーザの方が、車椅子に乗らないユーザに比較して、眼とＬＣＤ８１との間の距離が長いので、車椅子に乗るユーザがＬＣＤ８１に表示された文字を視認しやすくなる。
【００６６】
以上説明したように第２の実施の形態におけるＭＦＰ２は、操作パネル８０の角度が角度検出センサ１０７により検出され、操作パネル８０の角度が第１の角度のときに第１表示モードに切換え、操作パネル８０の角度が第２の角度のときに第２表示モードに切換え、第２表示モードにおいて、第１画面に表示されている画像中の一部を拡大した画像を第２画面としてＬＣＤ８１に表示する。このため、車椅子に乗るユーザは一部を拡大した見やすい画面を見ることができるとともに、車椅子の横に立つユーザは、通常の文字の画面を見ることができる。その結果、車椅子に乗るユーザと、その横に立つユーザとが共に見易い画面を同時に表示することができる。
【００６７】
また、表示モード切換スイッチ１０８がＯＮに切り換えられているときに、図１３に示した表示モード切換処理を実行するようにし、表示モード切換スイッチ１０８がＯＦＦに切り換えられているときに、図１３に示した表示モード切換処理を実行しないようにすれば、表示モード切換スイッチ１０８をＯＮまたはＯＦＦに切り換えることにより、拡大文字画面をファイ２画面として表示するか否かを切り換えることができる。このため、使用状況に応じて、一部を拡大した画面を表示するか否かをユーザの意思で決定することができる。
【００６８】
＜第３の実施の形態＞
第３の実施の形態におけるＭＦＰ２は、ＭＦＰ２の状態の変化に応じて、第２画面に表示する画像を、第１画面に表示する画像と同じにするか、異なる画像とするかを切換えるようにしたものである。特に、ＭＦＰ２は、エラーが発生するエラー状態となったときに、第１画面と第２画面とを異ならせるようにしたものである。図１４は、第３の実施の形態におけるＭＦＰで実行される表示制御処理の流れの一例を示す第３のフローチャートである。この表示制御処理は、ＣＰＵ１０１がＲＯＭ１０３に記憶された表示制御プログラムを実行することにより、ＣＰＵ１０１により実行される処理である。図１４を参照して、ＣＰＵ１０１は、用紙エラー処理（ステップＳ３１）、トナーエラー処理（ステップＳ３２）、消耗品エラー処理（ステップＳ３３）、第１トラブルエラー処理（ステップＳ３４）、および第２トラブルエラー処理（ステップＳ３５）を実行する。
【００６９】
図１５は、用紙エラー処理の流れの一例を示すフローチャートである。図１５を参照して、ＣＰＵ１０１は、給紙トレイが選択されたか否かを判断する（ステップＳ３１１）。給紙トレイが選択されたならば処理をステップＳ３１２に進め、選択されなければ処理をエラー処理に戻す。ここでは、給紙トレイ５１が選択された例を説明する。ステップＳ３１２において、ステップＳ３１２で選択された給紙トレイ５１の用紙残量センサ５１ＡがＯＮとなったか否かを判断する。用紙残量センサ５１Ａは、給紙トレイ５１が収納する用紙が存在しなくなった場合にＯＮとなる。用紙残量センサ５１ＡがＯＮであれば処理をステップＳ３１３に進め、そうでなければ処理をエラー処理に戻す。
【００７０】
ステップＳ３１３において、第１用紙エラー画面を第１画面としてＬＣＤ８１に表示する。図１６に第１用紙エラー画面の一例を示す。図１６を参照して、第１用紙エラー画面は、図６（Ａ）に示した基本操作画面とメッセージボックスのメッセージが異なるのみであり、状態を説明するメッセージを含む。具体的には、メッセージボックスに「用紙を補給してください」のメッセージを含む。このため、第１用紙エラー画面だけから、用紙の残量がないことをユーザに知らせることができる。
【００７１】
図１５に戻って、ステップＳ３１４において、表示モード切換スイッチ１０８がＯＮか否かを判断する。表示モード切換スイッチ１０８がＯＮであれば処理をステップＳ３１５に進め、ＯＦＦであれば処理をステップＳ３１６に進める。ステップＳ３１５において、第２用紙エラー画面を第２画面としてＬＣＤ８１に表示する。図１７に、第２用紙エラー画面の一例を示す。第２用紙エラー画面は、状態に対して予め定められた操作手順を説明するメッセージを含む。
【００７２】
一方、ステップＳ３１６において、第１用紙エラー画面を第２画面としてＬＣＤ８１に表示する。ユーザの意思を尊重して、第１画面と第２画面とに表示される画像を同じにして、ユーザがどの視線からＬＣＤ８１を見ても同じ画像が視認できるようにする。
【００７３】
図１８は、ユーザとＭＦＰとの位置とユーザの視線との関係を示す第４の図である。図１８を参照して、ＬＣＤ８１は、ＭＦＰ２の前面上部に、表示面を上方にしてＭＦＰ２に装着される。また、給紙トレイ５１は、ＭＦＰ２の前方に引き出される。この際、ユーザは、給紙トレイ５１が引き出されているため、ＭＦＰ２から後方に少し離れた位置に立つことになり、その位置からは視線ＢでＬＣＤ８１を見ることになる。また、ユーザはその位置から移動することなく視線を下方に変えるだけで給紙トレイ５１を視認することができる。このように、ＬＣＤ８１は、ユーザがＭＦＰ２から引き出された給紙トレイ５１を見る位置から移動することなく見ることが可能な位置に配置される。従って、給紙トレイ５１をＭＦＰ２から引き出した状態で、ＭＦＰ２から後方に少し離れた位置に立つユーザは、ＬＣＤ８１に第２画面として表示された画像、ここでは、図１７に示した操作手順を説明するメッセージを含む第２用紙エラー画面を見ることになり、ＬＣＤ８１に表示される画面を、ヘルプ画面に切り換えるなどする必要がなく、給紙トレイ５１に用紙を収納する作業手順を理解することができる。
【００７４】
図１９は、トナーエラー処理の流れの一例を示すフローチャートである。トナーエラー処理は、図１４のステップＳ３２で実行される処理である。図１９を参照して、ＣＰＵ１０１は、トナー残量センサ３４ａ，３４ｂ，３４ｃ，３４ｄの少なくとも１つがＯＮとなったか否かを判断する（ステップＳ３２１）。トナー残量センサ３４ａ，３４ｂ，３４ｃ，３４ｄは、トナーカートリッジに収納されるトナー量が所定量を下回るとＯＮとなる。トナー残量センサ３４ａ，３４ｂ，３４ｃ，３４ｄの少なくとも１つがＯＮであれば処理をステップＳ３２２に進め、そうでなければ処理をエラー処理に戻す。ここでは、イエローの現像ユニット３３ｃのトナー残量センサ３４ｃがＯＮとなった場合を例に説明する。
【００７５】
ステップＳ３２２において、第１トナーエラー画面を第１画面としてＬＣＤ８１に表示する。図２０に第１トナーエラー画面の一例を示す。図２０を参照して、第１トナーエラー画面は、図６（Ａ）に示した基本操作画面とメッセージボックスのメッセージが異なるのみであり、状態を説明するメッセージを含む。具体的には、メッセージボックスに「トナーを補給してください」のメッセージを含む。このため、第１トナーエラー画面だけから、シアン、マゼンタ、イエローおよびブラックのいずれかのトナーの残量が少ないことをユーザに知らせることができる。
【００７６】
図１９に戻って、ステップＳ３２３において、表示モード切換スイッチ１０８がＯＮか否かを判断する。表示モード切換スイッチ１０８がＯＮであれば処理をステップＳ３２４に進め、ＯＦＦであれば処理をステップＳ３２５に進める。ステップＳ３２４において、第２トナーエラー画面を第２画面としてＬＣＤ８１に表示する。図２１に、第２トナーエラー画面の一例を示す。第２トナーエラー画面は、状態に対して予め定められた操作手順を説明するメッセージを含む。ここでは、このメッセージは、イエローのトナーカートリッジを交換する作業手順の説明を含む。
【００７７】
一方、ステップＳ３２５において、第１トナーエラー画面を第２画面としてＬＣＤ８１に表示する。ユーザの意思を尊重して、第１画面と第２画面とに表示される画像を同じにして、ユーザがどの視線からＬＣＤ８１を見ても同じ画像が視認できるようにする。
【００７８】
図２２は、ユーザとＭＦＰとの位置とユーザの視線との関係を示す第５の図である。図２２を参照して、ＭＦＰ２の前ドア３が開放されて、ＭＦＰ２から現像ユニット３３ｃが引き出された状態を示している。第１トナーエラー画面を見たユーザは、シアン、マゼンタ、イエローおよびブラックのいずれかのトナーの残量が少ないことを知ることができる。ユーザがＭＦＰ２の前ドア３を開放すると、ユーザの立つ位置が後方に少しずれる。その位置から操作パネル８０のＬＣＤ８１を見れば、視線ＢでＬＣＤ８１を見ることになる。これにより、ユーザは第２エトナーエラー画面を見ることになる。このため、ユーザは、エラーの原因となるトナーカートリッジを見る位置から視線をＬＣＤ８１に移すだけで第２画面を見ることができる。その結果、ユーザは、イエローのトナーの残量が少なくなったこと、およびトナーカートリッジの交換作業の手順を知ることができ、ＭＦＰ２から現像ユニット３３ｃを引き出して、トナーカートリッジを交換する作業をスムーズに行うことができる。
【００７９】
図２３は、消耗品エラー処理の流れの一例を示すフローチャートである。消耗品エラー処理は、図１４のステップＳ３３で実行される処理である。図２３を参照して、ＣＰＵ１０１は、プリント指示を受け付けたか否かを判断する（ステップＳ３３１）。ユーザが操作パネル８０のスタートキー８４を押下すると、ＣＰＵ１０１はプリント指示を受け付ける。プリント指示を受け付けたならば処理をステップＳ３３２に進め、そうでなければ処理をステップＳ３３８に進める。ステップＳ３３２において、プリントカウンタ１０６をインクリメントする。そして、プリントカウンタ１０６が予め定めたしきい値を超えたか否かを判断する（ステップＳ３３３）。ここでは、しきい値は、転写ベルト３５の使用限度回数としている。プリントカウンタが予め定めたしきい値を超えたならば処理をステップＳ３３４に進め、そうでなければ処理をステップＳ３３８に進める。
【００８０】
ステップＳ３３４において、第１消耗品エラー画面を第１画面としてＬＣＤ８１に表示する。図２４に第１消耗品画面の一例を示す。図２４を参照して、第１消耗品エラー画面は、図６（Ａ）に示した基本操作画面とメッセージボックスのメッセージが異なるのみであり、状態を説明するメッセージを含む。具体的には、メッセージボックスに「転写ベルトの交換時期です」のメッセージを含む。このため、第１消耗品エラー画面だけから、転写ベルト３５の交換時期であることをユーザに知らせることができる。
【００８１】
図２３に戻って、ステップＳ３３５において、表示モード切換スイッチ１０８がＯＮか否かを判断する。表示モード切換スイッチ１０８がＯＮであれば処理をステップＳ３３６に進め、ＯＦＦであれば処理をステップＳ３３７に進める。ステップＳ３３６において、第２消耗品エラー画面を第２画面としてＬＣＤ８１に表示し、処理をステップＳ３３８に進める。図２５に、第２消耗品エラー画面の一例を示す。第２消耗品エラー画面は、状態に対して予め定められた操作手順を説明するメッセージを含む。ここでは、メッセージは、転写ベルトを交換する作業手順の説明を含む。
【００８２】
一方、ステップＳ３３７において、第１消耗品エラー画面を第２画面としてＬＣＤ８１に表示し、処理をステップＳ３３８に進める。ユーザの意思を尊重して、第１画面と第２画面とに表示される画像を同じにして、ユーザがどの視線からＬＣＤ８１を見ても同じ画像が視認できるようにする。
【００８３】
ステップＳ３３８においては、消耗品、ここでは転写ベルト３５が交換されたか否かを判断する。交換されたならば処理をステップＳ３３９に進め、交換されなければステップＳ３３９をスキップして処理を終了する。ステップＳ３３９においては、プリントカウンタ１０６をリセットし、処理を終了する。
【００８４】
図２６は、ユーザとＭＦＰとの位置とユーザの視線との関係を示す第６の図である。図２６を参照して、ＭＦＰ２の前ドア３が開放されて、ＭＦＰ２から転写ベルト３５が引き出された状態を示している。第１消耗品エラー画面を見たユーザは、転写ベルトの交換時期であることを知ることができる。ユーザがＭＦＰ２の前ドア３を開放すると、ユーザの立つ位置が後方に少しずれる。その位置から操作パネル８０のＬＣＤ８１を見れば、視線ＢでＬＣＤ８１を見ることになる。これにより、ユーザは第２消耗品エラー画面を見ることになる。このため、ユーザは、エラーの原因となる転写ベルト３５を見る位置から視線をＬＣＤ８１に動かすだけで第２画面をみることができる。その結果、ユーザは、転写ベルト３５の交換作業の手順を知ることができ、ＭＦＰ２の転写ベルトを交換する作業をスムーズに行うことができる。
【００８５】
図２７は、第１トラブルエラー処理の流れの一例を示すフローチャートである。第１トラブルエラー処理は、図１４のステップＳ３４で実行される処理である。図２７を参照して、ＣＰＵ１０１は、電源がＯＮとなったか否かを判断する（ステップＳ３４１）。電源スイッチがＯＮにされると、ＣＰＵ１０１は電源がＯＮとなったことを検出する。電源がＯＮになると処理をステップＳ３４２に進め、そうでなければ処理をステップＳ３４３に進める。ステップＳ３４２においては、トラブルが発生する際に用いられる変数をリセットする。
【００８６】
そして、ステップＳ３４３において、画像形成部３０がプリント中か否かを判断する。プリント中であれば処理をステップＳ３４４に進め、そうでなければ処理をステップＳ３４５に進める。ステップＳ３４４においては、ファンモータ９２をＯＮにし、処理をステップＳ３４６に進める。具体的には、ファンモータ制御部９１にファンモータ９２を駆動させるための信号を出力する。一方、ステップＳ３４５においては、ファンモータをＯＦＦにし、処理をステップＳ３４６に進める。具体的には、ファンモータ制御部９１にファンモータの駆動を停止させるための信号を出力する。
【００８７】
ステップＳ３４６においては、ファンモータ９２の状態がＯＮであるか否かを判断する。ファンモータがＯＮであれば処理をステップＳ３４７に進め、ＯＮでなければ処理をエラー処理に戻す。ファンモータがＯＮでない場合に、ファンモータにトラブルが発生することがないからである。ステップＳ３４７においては、ファンモータが駆動しているか否かを判断する。具体的には、ファンモータ制御部９１からファンモータ９２が駆動しているか否かを示す状態信号を受信し、判断する。受信した状態信号がファンモータ９２が駆動していないことを示すならば処理をステップＳ３４８に進め、状態信号がファンモータ９２が駆動していることを示すならば処理をエラー処理に戻す。ファンモータ９２の状態がＯＮで、ファンモータ９２が駆動していれば、ファンモータが正常に動作しているからである。
【００８８】
ステップＳ３４８においては、第１モータエラー画面を第１画面としてＬＣＤ８１に表示する。図２８に第１モータエラー画面の一例を示す。図２８を参照して、第１モータエラー画面は、図６（Ａ）に示した基本操作画面とメッセージボックスのメッセージが異なるのみであり、状態を説明するメッセージを含む。具体的には、メッセージボックスに「トラブルが発生しました」のメッセージを含む。このため、第１モータエラー画面だけから、トラブルが発生したことをユーザに知らせることができる。
【００８９】
図２７に戻って、ステップＳ３４９において、表示モード切換スイッチ１０８がＯＮか否かを判断する。表示モード切換スイッチ１０８がＯＮであれば処理をステップＳ３４９Ａに進め、ＯＦＦであれば処理をステップＳ３４９Ｂに進める。ステップＳ３４９Ａにおいて、第２モータエラー画面を第２画面としてＬＣＤ８１に表示する。図２９に、第２モータエラー画面の一例を示す。第２モータエラー画面は、状態に対して予め定められた操作手順を説明するメッセージを含む。ここでは、このメッセージは、連絡先としての電話番号を含み、そこに電話してサービスマンにトラブルコードＣ１２３を伝達する作業手順の説明を含む。
【００９０】
図２７に戻って、ステップＳ３４９Ｂにおいて、第１モータエラー画面を第２画面としてＬＣＤ８１に表示する。ユーザの意思を尊重して、第１画面と第２画面とに表示される画像を同じにして、ユーザがどの視線からＬＣＤ８１を見ても同じ画像が視認できるようにする。
【００９１】
第１モータエラー画面を見たユーザは、トラブルが発生したことを知ることができる。ユーザがＭＦＰ２から後退した位置から操作パネル８０のＬＣＤ８１を見れば、ユーザは第２モータエラー画面を見ることになる。このため、その結果、ユーザは、トラブルに対処するための作業手順を知ることができ、トラブルを回避するために必要な処置をとることができる。
【００９２】
図３０は、第２トラブルエラー処理の流れの一例を示すフローチャートである。第２トラブルエラー処理は、図１４のステップＳ３５で実行される処理である。図３０を参照して、ＣＰＵ１０１は、給紙トレイ５１，５３，５５のいずれかがＭＦＰ２の本体に挿入されたか否かを判断する（ステップＳ３５１）。ここでは、給紙トレイ５５が挿入された場合を例に説明する。給紙トレイ５５が挿入されたならば処理をステップＳ３５２に進め、そうでなければ処理をステップＳ３５４に進める。第２トラブルエラー処理は、給紙トレイ５５を挿入した後のトラブルを検出するための処理だからである。
【００９３】
次に、リフトアップモータ５９をＯＮにして駆動させ（ステップＳ３５２）、タイマ５７で計時を開始させる（ステップS３５３）。そして、リフトアップセンサ５８がＯＮになったか否かを判断する（ステップS３５４）。リフトアップセンサ５８がＯＮであれば処理をステップＳ３５５に進め、そうでなければ処理をステップＳ３５７に進める。ステップＳ３５５においては、リフトアップモータ５９をＯＦＦにして、駆動を停止させる。そして、タイマ５７をストップし（ステップＳ３５６）、処理をエラー処理に戻す。タイマ５７がタイムアップする前に、リフトアップセンサ５８がＯＮになれば、正常に動作したことになるからである。
【００９４】
ステップＳ３５７においては、タイマ５７による計時が終了したか否かを判断する。タイマ５７で計時された時間が、予め定められたしきい値を超えると、タイマ５７による計時が終了する。しきい値は、用紙が収納されていない状態で、リフトアップモータ５９を駆動させて、上昇台がピックアップローラに当接する位置まで上昇する時間である。タイマ５７による計時が終了したならば処理を３５８に進め、そうでなければ、処理をエラー処理に戻す。ＣＰＵ１０１は、タイマ５７で計時された時間が、用紙が収納されていない状態で、リフトアップモータ５９を駆動させて、タイマ５７が計時する時間がしきい値を超えてもまだ、リフトアップセンサ５８が上昇台を検出しなければ、トラブルが発生したと判断する。
【００９５】
ステップＳ３５８においては、第１給紙トレイエラー画面を第１画面としてＬＣＤ８１に表示する。図３１に第１給紙トレイエラー画面の一例を示す。図３１を参照して、第１給紙トレイエラー画面は、図６（Ａ）に示した基本操作画面とメッセージボックスのメッセージが異なるのみであり、状態を説明するメッセージを含む。具体的には、メッセージボックスに「コピーできます（３段目は不可）」のメッセージを含む。このため、第１給紙トレイエラー画面だけで、給紙トレイ５５にトラブルが発生したことをユーザに知らせることができる。
【００９６】
図３０に戻って、ステップＳ３５９において、表示モード切換スイッチ１０８がＯＮか否かを判断する。表示モード切換スイッチ１０８がＯＮであれば処理をステップＳ３５９Ａに進め、ＯＦＦであれば処理をステップＳ３５９Ｂに進める。ステップＳ３５９Ａにおいて、第２給紙トレイエラー画面を第２画面としてＬＣＤ８１に表示する。図３２に、第２給紙トレイエラー画面の一例を示す。第２給紙トレイエラー画面は、状態に対して予め定められた操作手順を説明するメッセージを含む。ここでは、このメッセージは、連絡先としての電話番号を含み、連絡先に電話してサービスマンにトラブルコードＣ９８７を伝達する作業手順の説明を含む。
【００９７】
図３０に戻って、ステップＳ３４９Ｂにおいて、第１モータエラー画面を第２画面としてＬＣＤ８１に表示する。ユーザの意思を尊重して、第１画面と第２画面とに表示される画像を同じにして、ユーザがどの視線からＬＣＤ８１を見ても同じ画像が視認できるようにする。
【００９８】
第１給紙トレイエラー画面を見たユーザは、３段目の給紙トレイ５５にトラブルが発生したことを知ることができる。ユーザがＭＦＰ２から後退した位置から操作パネル８０のＬＣＤ８１を見れば、ユーザは第２給紙トレイエラー画面を見ることになる。このため、ユーザは、トラブルの原因となる３段目の給紙トレイ５５を見る位置から視線をＬＣＤ８１に動かすだけで第2画面を見ることができる。その結果、トラブルに対処するための作業手順を知ることができ、トラブルを回避するために必要な処置をとることができる。
【００９９】
以上説明したように第３の実施の形態におけるＭＦＰ２は、エラーが検出されると、第２表示モードに切り換え、検出されたエラーに対応する状態説明画面を第１画面として表示し、検出されたエラーに対応する操作手順を説明するメッセージを含む画面を第２画面として表示する。このため、エラーの発生をユーザに知らせることができると共に、ユーザがそのエラーに対応する姿勢となったときに、作業手順をユーザに知らせることができる。その結果、画面を切り換えることなく、エラーに対応する位置にユーザが移動したタイミングで、操作手順を説明するメッセージをユーザに知らせることができる。
【０１００】
＜第４の実施の形態＞
第１〜第３の実施の形態におけるＭＦＰ２は、ＬＣＤ８１のパララックスバリアを、不透明領域によって隔たれた水平な透光性スリットを複数有するスクリーンとしたが、第４の実施の形態におけるＭＦＰ２は、ＬＣＤ８１のパララックスバリアを、不透明領域によって隔たれた垂直な透光性スリットを複数有するスクリーンとしたものである。このため、第４の実施の形態におけるＭＦＰ２は、ユーザがＭＦＰ２に対して立つ位置が横方向に変化することによって、異なる２つの画像をユーザが視認可能になる。すなわち、ＬＣＤ８１は、制限された第１視野角のみから視認することが可能なように第１画面を表示するとともに、第１視野角以外から視認することが可能なように第２画面を表示することが可能である。
【０１０１】
図３３は、ユーザとＭＦＰとの位置とユーザの視線との関係を示す第７の図である。図３３を参照して、ＭＦＰ２を上方から見た図を示す。ユーザがＭＦＰ２の正面に立つ場合の視線Ａと、少し横に移動した位置図ではフィニッシャ６０の正面に立つ場合の視線Ｂとで、操作パネル８０に対する角度が異なる。操作パネル８０は、ＭＦＰ２の上面にＬＣＤ８１の表示面を上方に向けて配置される。視線Ａは、視線Ｂに比較して、ＬＣＤ８１の表示面の法線となす角が小さい。以下、ＬＣＤ８１に表示される画像のうち、ユーザが視線Ａで視認可能な画像を第１画面といい、視線Ｂで視認可能な画像を第２画面という。
【０１０２】
図３４は、フィニッシャの機能の概要を示す機能ブロック図である。図３４を参照して、フィニッシャ６０は、フィニッシャ６０の全体を制御するためのＣＰＵ６１と、ステープル針の有無を検出するためのステープル針有無検出センサ６２と、ＭＦＰ２と通信するための通信Ｉ／Ｆ６３とを備える。ＣＰＵ６１は、通信Ｉ／Ｆ６３を介してＭＦＰ２のＣＰＵ１０１と通信する。ＣＰＵ６１は、ＭＦＰ２のＣＰＵ１０１から入力される指示に従って、後処理を実行する。また、ＣＰＵ６１は、ステープル針有無検出センサ６２がステープル針有りを示す信号を出力する場合、値が０のステープル針切れ信号をＣＰＵ１０１に送信し、ステープル針有無検出センサ６２がステープル針無しを示す信号を出力する場合、値が１のステープル針切れ信号をＣＰＵ１０１に送信する。
【０１０３】
図３５は、第４の実施の形態におけるＭＦＰで実行される表示制御処理の流れの一例を示す第４のフローチャートである。この表示制御処理は、ＣＰＵ１０１がＲＯＭ１０３に記憶された表示制御プログラムを実行することにより、ＣＰＵ１０１により実行される処理である。図３５を参照して、ＣＰＵ１０１は、画像形成部３０がプリント中か否かを判断する（ステップＳ４１）。プリント中であれば処理をステップＳ４４に進め、そうでなければ処理をステップＳ４２に進める。ステップＳ４２においては、図６（Ａ）に示した基本操作画面を第１画面としてＬＣＤ８１に表示する。次のステップＳ４３においては、第１フィニッシャ状態表示画面を第２画面としてＬＣＤ８１に表示し、処理をステップＳ４６に進める。図３６に、第１フィニッシャ状態表示画面の一例を示す。このように、第１画面として表示される基本操作画面が、ＭＦＰ２に関する情報を含む画面を表示するのに対して、第２画面として表示される第１フィニッシャ状態表示画面は、フィニッシャ６０に関する情報を含む画面を表示する。ユーザがフィニッシャ６０の正面に移動すれば、ＬＣＤ８１で第１フィニッシャ状態表示画面を視認でき、ＭＦＰ２の正面に移動すれば、ＬＣＤ８１で基本操作画面を視認できる。
【０１０４】
図３５に戻って、ステップＳ４４においては、コピー中画面を第１画面としてＬＣＤ８１に表示する。次のステップＳ４５においては、第２フィニッシャ状態表示画面を第２画面としてＬＣＤ８１に表示する。図３７に、コピー中画面の一例を示す。図３７を参照して、コピー中画面は、図６（Ａ）に示した基本操作画面とメッセージボックスのメッセージが異なるのみであり、状態を説明するメッセージを含む。具体的には、メッセージボックスに「コピー中です」のメッセージを含む。このため、コピー中画面だけから、ＭＦＰ２が画像形成部３０を駆動してプリント中であることをユーザに知らせることができる。図３８に第２フィニッシャ状態表示画面の一例を示す、図３８を参照して、第２フィニッシャ状態表示画面は、フィニッシャの設定状態を説明するメッセージを含む。このように、第１画面として表示されるコピー中画面が、ＭＦＰ２に関する情報を含む画面を表示するのに対して、第２画面として表示される第２フィニッシャ状態表示画面は、フィニッシャ６０に関する情報を含む画面を表示する。ユーザがフィニッシャ６０の正面に移動すれば、ＬＣＤ８１に第２フィニッシャ状態表示画面を視認でき、ＭＦＰ２の正面に移動すれば、ＬＣＤ８１にコピー中画面を視認できる。
【０１０５】
図３５に戻って、ステップＳ４６においては、ステープル針切れ信号の値が１か否かを判断する。ＣＰＵ１０１が、フィニッシャ６０のＣＰＵ６１から値が１のステープル針切れ信号を受信したならば、処理をステップＳ４７に進めるが、そうでなければ処理を終了する。ステップＳ４７においては、第１フィニッシャエラー画面を第１画面としてＬＣＤ８１に表示する。次のステップＳ４８においては、第２フィニッシャエラー画面を第２画面としてＬＣＤ８１に表示する。図３９に第１フィニッシャエラー画面の一例を示す。図３９を参照して、第１フィニッシャエラー画面は、図６（Ａ）に示した基本操作画面とメッセージボックスのメッセージが異なるのみであり、状態を説明するメッセージを含む。具体的には、メッセージボックスに「ステープル針を補充してください」のメッセージを含む。このため、第１フィニッシャエラー画面だけから、フィニッシャがステープル針が不足している状態であることをユーザに知らせることができる。図４０に、第２フィニッシャエラー画面の一例を示す。第２フィニッシャエラー画面は、フィニッシャの状態に対して予め定められた操作手順を説明するメッセージを含む。ここでは、このメッセージは、ステープル針を交換するための作業手順の説明を含む。
【０１０６】
このように、第１画面として表示される第１フィニッシャエラー画面だけからフィニッシャがステープル針が不足している状態であることをユーザに知らせることができ、それを見たユーザがフィニッシャ６０の正面に移動すると、第２画面としてＬＣＤ８１に表示されている第２フィニッシャエラー画面を視認する。このため、ユーザは、第２フィニッシャエラー画面を見ながらステープル針を補充する作業をすることができる。
【０１０７】
図４１は、フィニッシャ制御処理の流れの一例を示すフローチャートである。フィニッシャ制御処理は、フィニッシャ６０のＣＰＵ６１がフィニッシャ制御処理プログラムを実行することにより、ＣＰＵ６１により実行される処理である。図４１を参照して、ＣＰＵ６１は、ステープルモードに設定されているか否かを判断する（ステップＳ５１）。ステープルモードに設定されていれば処理をステップＳ５２に進め、そうでなければ処理を終了する。ステープルモードに設定されていなければ、ステープル針が用いられることがないので、ステープル針が存在していなくても問題は発生しないからである。ステップＳ５２においては、ステープル針有無検出センサ６２の出力がステープル針有りを示せば処理をステップＳ５４に進め、無しを示せば処理をステップＳ５３に進める。ステップＳ５３においては、針切れ信号に値１を設定して、それをＭＦＰ２に送信し、ステップＳ５４においては、針切れ信号に値２を設定して、それをＭＦＰ２に送信する。
【０１０８】
＜変形例＞
上述したＭＦＰ２が、フィニッシャに関する情報を第２画面としてＬＣＤ８１に表示したのに対して、変形例におけるＭＦＰ２は、コインベンダに関する情報を第２画面としてＬＣＤ８１に表示するようにしたものである。
【０１０９】
図４２は、ユーザとＭＦＰとの位置とユーザの視線との関係を示す第８の図である。図４２を参照して、ＭＦＰ２を上方から見た図を示す。ユーザがＭＦＰ２の正面に立つ場合の視線Ａと、少し横に移動した位置、図ではコインベンダ７０の正面に立つ場合の視線Ｂとで、操作パネル８０に対する角度が異なる。操作パネル８０は、ＭＦＰ２の上面にＬＣＤ８１の表示面を上方に向けて配置される。視線Ａは、視線Ｂに比較して、ＬＣＤ８１の表示面の法線となす角が小さい。以下、ＬＣＤ８１に表示される画像のうち、ユーザが視線Ａで視認可能な画像を第１画面といい、視線Ｂで視認可能な画像を第２画面という。
【０１１０】
図４３は、コインベンダの機能の概要を示す機能ブロック図である。図４３を参照して、コインベンダ７０は、コインベンダ７０の全体を制御するためのＣＰＵ７５と、それぞれがＣＰＵ７５に接続された、残金返金ボタン７３、残金有無センサ７６、コイン有無検出センサ７７、表示部７１、およびＭＦＰ２と通信するための通信Ｉ／Ｆ７８を含む。ＣＰＵ７５は、通信Ｉ／Ｆ７８を介してＭＦＰ２のＣＰＵ１０１と通信し、プリント可能枚数をＣＰＵ１０１に送信する。ＣＰＵ７５は、コイン投入口７２に投入されるコインをカウントし、残金を算出する。また、ＣＰＵ７５は、ＭＦＰ２から画像形成履歴を受信し、残金から画像形成に必要な費用を減算し、残金を算出する。ＣＰＵ７５は、残金が正であれば残金信号に値１を設定して、残金信号を通信Ｉ／Ｆ７８を介してＭＦＰ２のＣＰＵ１０１に送信し、残金が負であれば残金信号に値０を設定して、釣銭切れ信号を通信Ｉ／Ｆ７８を介してＭＦＰ２のＣＰＵ１０１に送信する。
【０１１１】
ＣＰＵ７５は、残金返却ボタンが指示されると、残金に相当するコインをコイン返却口７４に排出する。残金有無センサ７６は、返却するためのコインの量を検出し、ＣＰＵ７５に出力する。ＣＰＵ７５は、残金有無センサ７６で検出されたコインの量から返金可能な額を算出し、返金可能な額が残金を下回れば、返金するためのコインが不足していると判断する。ＣＰＵ７５は、返金するためのコインが不足していれば、釣銭切れ信号に値１を設定して、釣銭切れ信号を通信Ｉ／Ｆ７８を介してＭＦＰ２のＣＰＵ１０１に送信し、返金するためのコインが不足していなければ、釣銭切れ信号に値０を設定して、釣銭切れ信号を通信Ｉ／Ｆ７８を介してＭＦＰ２のＣＰＵ１０１に送信する。
【０１１２】
図４４は、コインベンダ処理の流れの一例を示すフローチャートである。このコインベンダ制御処理は、コインベンダ７０のＣＰＵ７５においてコインベンダ制御プログラムが実行されることにより、ＣＰＵ７５により実行される処理である。図４４を参照して、ＣＰＵ７５は、残金があるか否かを判断する（ステップＳ６１）。残金は、画像形成の単価に相当する残金があれば残金有りと判断して、処理をステップＳ６２に進め、そうでなければ処理をステップＳ６３に進める。ステップＳ６２においては、値１を設定した残金信号をＭＦＰ２に送信し、処理をステップＳ６４に進める。ステップＳ６３においては、値０を設定した残金信号をＭＦＰ２に送信する。残金信号は、値１であれば残金有りを示し、値０であれば残金無しを示す信号である。
【０１１３】
ステップＳ６４においては、残金返金ボタン７３が押下されたか否かを判断する。残金返金ボタン７３が押下されたならば処理をステップＳ６５に進め、そうでなければ処理を終了する。ステップＳ６５においては、返金分のコインが存在するか否かを判断する。返金分のコインが存在しなければ処理をステップＳ６６に進め、返金分のコインが存在すれば処理をステップＳ６７に進める。
【０１１４】
ステップＳ６６においては、値１を設定した釣銭切れ信号をＭＦＰ２に送信し、処理を終了する。ステップＳ６７においては、値０を設定した釣銭切れ信号をＭＦＰ２に送信し、処理を終了する。釣銭切れ信号は、値１であれば返金分のコインが存在しないことを示し、値０であれば返金分のコインが存在することを示す信号である。
【０１１５】
図４５は、変形例における表示制御処理の流れの一例を示す第５のフローチャートである。この表示制御処理は、ＣＰＵ１０１がＲＯＭ１０３に記憶された表示制御プログラムを実行することにより、ＣＰＵ１０１により実行される処理である。図４５を参照して、ＣＰＵ１０１は、コインベンダ７０から受信した残金信号が値１であるか否かを判断する（ステップＳ７１）。残金信号の値が１でなければ処理をステップＳ７２に進め、残金信号の値が１であれば処理をステップＳ７４に進める。
【０１１６】
ステップＳ７２においては、待機画面を第１画面としてＬＣＤ８１に表示する。図４６に待機画面の一例を示す。図４６を参照して、待機画面は、図６（Ａ）に示した基本操作画面とメッセージボックスのメッセージが異なるのみであり、状態を説明するメッセージを含む。具体的には、メッセージボックスに「お金を入れてください」のメッセージを含む。このため、待機画面だけから、コインベンダにコインを投入しなければ画像形成することができないことをユーザに知らせることができる。
【０１１７】
図４５に戻って、ステップＳ７３においては、第１ベンダ待機画面を第２画面として表示し、処理をステップＳ７６に進める。図４７に第１ベンダ待機画面の一例を示す。図４７を参照して、第１ベンダ待機画面は、料金体系を示すメッセージを含む。ユーザは、コインベンダ７０の正面に移動すると、ＬＣＤ８１に表示された第１ベンダ待機画面を視認し、料金体系を知ることができる。このため、所望の枚数を複写するのにコインをどれだけ投入すればよいかを判断することができる。
【０１１８】
図４５に戻って、ステップＳ７４においては、基本操作画面を第１画面としてＬＣＤ８１に表示する。図４８に基本操作画面の一例を示す。次のステップＳ７５においては、第２ベンダ待機画面を第２画面としてＬＣＤ８１に表示する。図４９は、第２ベンダ待機画面の一例を示す図である。図４９を参照して、第２ベンダ待機画面は、投入されたコインから算出される残金で、画像形成可能な枚数を表示するメッセージを含む。ユーザは、コピーベンダの正面に移動すると、ＬＣＤ８１に表示された第２ベンダ待機画面を視認し、画像形成可能な枚数を知ることができる。このため、所望の枚数を複写するのにコインを追加して投入する必要があるか否かを判断することができる。
【０１１９】
図４５に戻って、ステップＳ７６においては、コインベンダ７０から受信した釣銭切れ信号が値１であるか否かを判断する。釣銭切れ信号の値が１であれば処理をステップＳ７７に進め、釣銭切れ信号の値が１でなければ処理を終了する。ステップＳ７７においては、第１ベンダエラー画面を第１画面としてＬＣＤ８１に表示し、ステップＳ７８においては、第２ベンダエラー画面をＬＣＤ８１に表示する。図５０に第１ベンダエラー画面の一例を示す。図５０を参照して、第１ベンダエラー画面は、図６（Ａ）に示した基本操作画面とメッセージボックスのメッセージが異なるのみであり、状態を説明するメッセージを含む。具体的には、メッセージボックスに「釣銭切れです」のメッセージを含む。このため、第１ベンダエラー画面だけから、コインベンダに釣銭が不足していることをユーザに知らせることができる。図５１に第２ベンダエラー画面の一例を示す。図５１を参照して、第２ベンダエラー画面は、コインベンダのエラー状態に対して予め定められた作業手順を説明するメッセージを含む。ここでは、このメッセージは、レジで釣銭を受け渡す旨のメッセージを含み、レジに連絡する作業手順の説明を含む。
【０１２０】
以上説明したように第４の実施の形態におけるＭＦＰ２は、ユーザがＭＦＰ２の正面に立つときはＭＦＰ２に関連する情報を含む画面を第１画面として表示し、ＭＦＰ２に接続されたフィニッシャ６０またはコインベンダ７０の正面にユーザが移動したときは、フィニッシャ６０またはコインベンダ７０に関連する情報を含む画面を第２画面として表示する。このため、ＬＣＤ８１に表示する画面を切り換えることなく、ユーザがＭＦＰ２を操作する間はＭＦＰ２に関連する情報をユーザに視認させ、フィニッシャ６０またはコインベンダ７０の正面にユーザが移動したときは、フィニッシャ６０またはコインベンダ７０に関連する情報をユーザに視認させることができる。このため、表示する画面を切り換えることなく、ユーザの位置によりユーザが見ることのできる画面が切換わるので、ユーザの移動に応じて表示する画面を切り換えることができる。
【０１２１】
また、フィニッシャ６０またはコインベンダ７０にエラーが発生すると、検出されたエラーに対応する状態説明画面を第１画面として表示し、検出されたエラーに対応する操作手順を説明するメッセージを含む画面を第２画面として表示する。このため、エラーの発生をユーザに知らせることができると共に、ユーザがそのエラーに対応するためにフィニッシャ６０またはコインベンダ７０に移動したときに、作業手順をユーザに知らせることができる。その結果、画面を切り換えることなく、エラーに対応する位置にユーザが移動したタイミングで、操作手順を説明するメッセージをユーザに知らせることができる。
また、ＬＣＤ８１の第２画面にコインベンダ７０に関連する情報を含む画面を表示するので、コインベンダ７０に表示部２２を設けないようにすることができる。
【０１２２】
＜第５の実施の形態＞
第５の実施の形態におけるＭＦＰ２は、ＭＦＰ２に関する情報を含む画像を第１画面として表示し、ＭＦＰ２とは関係のない情報を含む画像を第２画面として表示するようにしたものである。また、ＭＦＰ２は、ＭＦＰ２を操作する操作主体であるユーザを識別し、識別したユーザによって、異なる情報を含む画像を第２画面として表示する。
【０１２３】
図５２は、ＩＤ確認処理の流れの一例を示すフローチャートである。このＩＤ確認処理は、ＣＰＵ１０１がＲＯＭ１０３に記憶されたＩＤ確認プログラムを実行することにより、ＣＰＵ１０１により実行される処理である。図５２を参照して、ＣＰＵ１０１は、操作パネル８０のＩＤ確認キーのＯＮを検出したか否かを判断する（ステップＳ８１）。ＩＤ確認キーは、操作パネル８０のＬＣＤ８１に表示され、ユーザがＩＤ確認キーを指示すると、ＣＰＵ１０１は、タッチパネル８５から受け付ける指示位置からＩＤ確認キーのＯＮを検出する。ＩＤ確認キーのＯＮを検出したならば処理をステップＳ８２に進め、そうでなければ処理を終了する。ステップＳ８２においては、入力されたＩＤが予め登録された登録ＩＤに一致するか否かを判断する。登録ＩＤは、例えば、ＭＦＰ２を使用することが予め定められたユーザに割当てられたＩＤである。登録ＩＤに該当しないＩＤは、例えば、ゲストユーザである。入力されたＩＤが登録ＩＤに一致すれば処理をステップＳ８３に進め、そうでなければ処理をステップＳ８８に進める。
【０１２４】
ステップＳ８３においては、入力されたＩＤが指定ＩＤに一致するか否かを判断する。指定ＩＤは、登録ＩＤのうちで予め定められたＩＤである。登録ＩＤのうちから特別なＩＤを予め定めておくことで、特別なＩＤとそうでないＩＤとで、表示する情報を異ならせるためである。入力されたＩＤが指定ＩＤに一致すれば処理をステップＳ８５に進め、そうでなければ処理をステップＳ８４に進める。ステップＳ８４においては、入力されたＩＤが１〜１００に含まれるか否かを判断する。入力されたＩＤが１〜１００のいずれかであれば処理をステップＳ８６に進め、そうでなければ処理をステップＳ８７に進める。登録ＩＤのうち指定ＩＤではないが、予め定めたＩＤとそうでないＩＤとを分類して、それぞれにおいて表示する情報を異ならせるためである。例えば、正社員のＩＤを１〜１００のいずれかに割り当て、派遣社員のＩＤを１０１以上に割当てれば、正社員と派遣社員とで表示する情報を異ならせることができる。
【０１２５】
ステップＳ８５においては、入力されたＩＤが指定ＩＤの場合であり、ＩＤレベルを１に設定する。ステップＳ８６においては、入力されたＩＤが指定ＩＤではないが１〜１００のいずれかの場合であり、ＩＤレベルに２を設定する。ステップＳ８７においては、入力されたＩＤが１０１以上の場合であり、ＩＤレベルに３を設定する。ステップＳ８８においては、入力されたＩＤが登録ＩＤでない場合であり、ＩＤレベルに０を設定する。具体的には、指定ＩＤが割当てられたユーザがＭＦＰ２にログインするとＩＤレベルが１に設定され、指定ＩＤが割当てられていない正社員がログインするとＩＤレベルが２に設定され、派遣社員がログインするとＩＤレベルが３に設定され、ゲストユーザがログインするとＩＤレベルが４に設定される。
【０１２６】
図５３は、表示制御処理の流れの一例を示す第６のフローチャートである。この表示制御処理は、ＣＰＵ１０１がＲＯＭ１０３に記憶された表示制御プログラムを実行することにより、ＣＰＵ１０１により実行される処理である。図５３を参照して、ＣＰＵ１０１は、ジョブ実行中か否かを判断する（ステップＳ９１）。ジョブ実行中であれば処理をステップＳ９２に進め、ジョブ実行中でなければ処理をステップＳ９３に進める。ステップＳ９２においては、図３７に示したコピー中画面を第１画面としてＬＣＤ８１に表示し、処理をステップＳ９６に進める。
【０１２７】
ステップＳ９３においては、スタンバイ中か否かを判断する。スタンバイ中であれば処理をステップＳ９４に進め、スタンバイ中でなければ処理をステップＳ９５に進める。ステップＳ９４においては、図６（Ａ）に示した基本操作画面を第１画面としてＬＣＤ８１に表示し、処理をステップＳ９６に進める。ステップＳ９５に進む場合は、ジョブ実行中でもスタンバイ中でもない状態、すなわちスリープ中の状態である。スリープ中においては、第１画面に何も表示しない（ステップＳ９５）。
【０１２８】
ステップＳ９６においては、表示モード切換スイッチ１０８がＯＮか否かを判断する。表示モード切換スイッチ１０８がＯＮであれば処理をステップＳ９７に進め、ＯＦＦであれば処理をステップＳ９８に進める。ステップＳ９７においては、第２画面表示処理を実行し、ステップＳ９８においては、第１画面と同じ画面を第２画面として表示する。これは、ユーザの意思を尊重して、第１画面と第２画面とに表示される画像を同じにして、ユーザがどの視線からＬＣＤ８１を見ても同じ画像が視認できるようにするためである。
【０１２９】
図５４は、第２画面表示処理の流れの一例を示すフローチャートである。第２画面表示処理は、図５３のステップＳ９７において実行される処理である。図５４を参照して、ＩＤレベルが１に設定されているか否かを判断する（ステップＳ１０１）。ＩＤレベルが１に設定されていれば処理をステップＳ１０４に進め、そうでなければ処理をステップＳ１０２に進める。ステップＳ１０２においては、ＩＤレベルが２に設定されているか否かを判断する。ＩＤレベルが２に設定されていれば処理をステップＳ１０５に進め、そうでなければ処理をステップＳ１０３に進める。ステップＳ１０３においては、ＩＤレベルが３に設定されているか否かを判断する。ＩＤレベルが３に設定されていれば処理をステップＳ１０６に進め、そうでなければ処理をステップＳ１０７に進める。
【０１３０】
ステップＳ１０４においては、個人情報画面を第２画面としてＬＣＤ８１に表示する。ステップＳ１０５においては、会社情報画面を第２画面としてＬＣＤ８１に表示する。ステップＳ１０６においては、一般情報画面を第２画面としてＬＣＤ８１に表示し、ステップＳ１０７においては、第１画面と同じ画面を第２画面としてＬＣＤ８１に表示する。
【０１３１】
図５５は、個人情報画面の一例を示す図である。図５５を参照して、個人情報画面は、ログインユーザの個人情報を含む。個人情報は、例えば、電子メールの内容等である。指定ＩＤが割当てられたユーザが、ＭＦＰ２にログインすれば、第２画面に電子メールなどの個人情報が表示されるので、例えば、緊急の連絡などを通知するのに便利である。
【０１３２】
図５６は、会社情報画面の一例を示す図である。図５６を参照して、会社情報画面は、例えば、社内で秘密が保たれることが必要な情報を含む。このため、正社員のユーザがＭＦＰ２にログインすれば、会社情報画面が表示されるので、便利である。
【０１３３】
図５７は、一般情報画面の一例を示す図である。ＭＦＰ２は、通信Ｉ／Ｆ部１０２を介して予め定められたＵＲＬにアクセスして、一般情報を入手し、一般情報画面を生成する。ここでは、一般情報として、天気予報を用いた例を示している。このため、派遣社員のユーザがＭＦＰ２にログインすれば、一般情報画面が表示されるので、個人情報や会社上方が派遣社員に知られることがない。
【０１３４】
以上説明したように、第５の実施の形態におけるＭＦＰ２は、ＭＦＰ２に関する情報を含む画像を第１画面として表示し、ＭＦＰ２と関係のない情報を含む画像を第２画面として表示する。このため、ＭＦＰ２を操作するユーザにタイムリーな情報を提供することができる。
【０１３５】
また、操作主体であるユーザのＩＤを確認し、ＩＤの確認結果に基づいて、第２画面として表示する情報を決定するので、操作主体に応じて提示する情報を異ならせることができる。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１３７】
＜付記＞
（１）  前記画像形成手段に用紙を供給するための給紙ユニットをさらに備え、
前記状態検出手段は、前記給紙ユニットに格納された用紙の残量を検出する用紙残量検出センサであり、
前記第２画面と前記給紙ユニットとを移動することなく視認可能な位置に、前記表示手段を配置して構成される、請求項４に記載の画像形成装置。
（２）  前記画像形成手段にトナーを供給するためのトナー供給ユニットをさらに備え、
前記状態検出手段は、前記トナー供給ユニットに格納されたトナーの残量を検出するトナー残量検出センサであり、
ユーザが前記第２画面と前記トナー供給ユニットとを移動することなく視認可能な位置に、前記表示手段を配置して構成される、請求項４に記載の画像形成装置。
（３）  前記状態検出手段は、消耗品の寿命を検出する寿命検出手段を含み、
ユーザが前記第２画面と前記消耗品とを同時に視認可能な位置に、前記表示手段を配置して構成される、請求項４に記載の画像形成装置。
（４）  前記状態検出手段は、トラブルエラーを検出するトラブルエラー検出手段を含む、請求項４に記載の画像形成装置。
（５）  前記周辺機器は、排紙ユニットであり、前記画像形成手段の横方向に接続される、請求項５に記載の画像形成装置。
（６）  前記周辺機器は、コインベンダであり、前記画像形成手段の横方向に接続される、請求項５に記載の画像形成装置。
（７）  前記表示制御手段は、インターネットより取得した情報を含む画像を前記第２画面として表示させる、請求項６に記載の画像形成装置。
（８）  前記表示制御手段は、イントラネットより取得した情報を含む画像を前記第２画面として表示させる、請求項６に記載の画像形成装置。
（９）  前記表示制御手段は、前記認証手段により認証された操作主体がアクセス可能な情報を含む画像を前記第２画面として表示させる、請求項６に記載の画像形成装置。
（１０）  前記表示手段は、前記画像形成手段の上方に、前記表示面を上側に向けて配置される、請求項６に記載の画像形成装置。
【図面の簡単な説明】
【０１３８】
【図１】画像形成システムの外観を示す斜視図である。
【図２】本実施の形態におけるＭＦＰの内部構成を示す断面図である。
【図３】メイン回路の構成の一例を示すブロック図である。
【図４】操作パネルの平面図である。
【図５】ユーザとＭＦＰとの位置とユーザの視線との関係を示す第１の図である。
【図６】ＬＣＤに表示される操作画面の一例を示す図である。
【図７】階層構造を示す階層表示画面の一例を示す図である。
【図８】表示制御処理の流れの一例を示す第１のフローチャートである。
【図９】ユーザとＭＦＰとの位置とユーザの視線との関係を示す第２の図である。
【図１０】ユーザとＭＦＰとの位置とユーザの視線との関係を示す第３の図である。
【図１１】操作パネルが第２の角度にあるとき、ＬＣＤに表示される第１画面の一例を示す図である。
【図１２】操作パネルが第２の角度にあるとき、ＬＣＤに表示される第２画面の一例を示す図である。
【図１３】第２の実施の形態におけるＭＦＰで実行される表示制御処理の一例を示す第２のフローチャートである。
【図１４】第３の実施の形態におけるＭＦＰで実行される表示制御処理の流れの一例を示す第３のフローチャートである。
【図１５】用紙エラー処理の流れの一例を示すフローチャートである。
【図１６】第１用紙エラー画面の一例を示す図である。
【図１７】第２用紙エラー画面の一例を示す図である。
【図１８】ユーザとＭＦＰとの位置とユーザの視線との関係を示す第４の図である。
【図１９】トナーエラー処理の流れの一例を示すフローチャートである。
【図２０】第１トナーエラー画面の一例を示す図である。
【図２１】第２トナーエラー画面の一例を示す図である。
【図２２】ユーザとＭＦＰとの位置とユーザの視線との関係を示す第５の図である。
【図２３】消耗品エラー処理の流れの一例を示すフローチャートである。
【図２４】第１消耗品画面の一例を示す図である。
【図２５】第２消耗品エラー画面の一例を示す図である。
【図２６】ユーザとＭＦＰとの位置とユーザの視線との関係を示す第６の図である。
【図２７】第１トラブルエラー処理の流れの一例を示すフローチャートである。
【図２８】第１モータエラー画面の一例を示す図である。
【図２９】第２モータエラー画面の一例を示す図である。
【図３０】第２トラブルエラー処理の流れの一例を示すフローチャートである。
【図３１】第１給紙トレイエラー画面の一例を示す図である。
【図３２】第２給紙トレイエラー画面の一例を示す図である。
【図３３】ユーザとＭＦＰとの位置とユーザの視線との関係を示す第７の図である。
【図３４】フィニッシャの機能の概要を示す機能ブロック図である。
【図３５】第４の実施の形態におけるＭＦＰで実行される表示制御処理の流れの一例を示す第４のフローチャートである。
【図３６】第１フィニッシャ状態表示画面の一例を示す図である。
【図３７】コピー中画面の一例を示す図である。
【図３８】第２フィニッシャ状態表示画面の一例を示す図である。
【図３９】第１フィニッシャエラー画面の一例を示す図である。
【図４０】第２フィニッシャエラー画面の一例を示す図である。
【図４１】フィニッシャ制御処理の流れの一例を示すフローチャートである。
【図４２】ユーザとＭＦＰとの位置とユーザの視線との関係を示す第８の図である。
【図４３】コインベンダの機能の概要を示す機能ブロック図である。
【図４４】コインベンダ処理の流れの一例を示すフローチャートである。
【図４５】変形例における表示制御処理の流れの一例を示す第５のフローチャートである。
【図４６】待機画面の一例を示す図である。
【図４７】第１ベンダ待機画面の一例を示す図である。
【図４８】基本操作画面の一例を示す図である。
【図４９】第２ベンダ待機画面の一例を示す図である。
【図５０】第１ベンダエラー画面の一例を示す図である。
【図５１】第２ベンダエラー画面の一例を示す図である。
【図５２】ＩＤ確認処理の流れの一例を示すフローチャートである。
【図５３】表示制御処理の流れの一例を示す第６のフローチャートである。
【図５４】第２画面表示処理の流れの一例を示すフローチャートである。
【図５５】個人情報画面の一例を示す図である。
【図５６】会社情報画面の一例を示す図である。
【図５７】一般情報画面の一例を示す図である。
【符号の説明】
【０１３９】
１  画像形成システム、２  本体、３  前ドア、１０  自動原稿搬送装置、１１  原稿給紙トレイ、１２  原稿排紙トレイ、２０  原稿読取部、３０  画像形成部、３１ａ，３１ｂ，３１ｃ，３１ｄ  感光体ドラム、３２ａ，３２ｂ，３２ｃ，３２ｄ  露光ユニット、３３ａ，３３ｂ，３３ｃ，３３ｄ  現像ユニット、３４ａ，３４ｂ，３４ｃ，３４ｄ  トナー残量センサ、３５  転写ベルト、４０  自動両面ユニット、５０  給紙部、５１，５３，５５  給紙トレイ、５１Ａ，５３Ａ，５５Ａ  用紙残量センサ、５２，５４，５６  ピックアップローラ、５７  タイマ、５８  リフトアップセンサ、５９  リフトアップモータ、６０  フィニッシャ、６０Ａ  フィニッシャ通信部、６１  ＣＰＵ、６２  ステープル針有無検出センサ、６３  通信ＩＦ、７０  コインベンダ、７０Ａ  コインベンダ通信部、７１  表示部、７２  コイン投入口、７３  返却ボタン、７３  残金返金ボタン、７４  コイン返却口、７６  残金有無センサ、７７  コイン有無検出センサ、７８  通信Ｉ／Ｆ、８０  操作パネル、８０Ａ  表示部、８０Ｂ  操作部、８１  ＬＣＤ、８５  タッチパネル、９１  ファンモータ制御部、９２  ファンモータ、１００  メイン回路、１０１  ＣＰＵ、１０２  通信Ｉ／Ｆ部、１０３  ＲＯＭ、１０４  ＲＡＭ、１０５  ＥＥＰＲＯＭ、１０６  プリントカウンタ、１０７  角度検出センサ、１０８  表示モード切換スイッチ。
【図１】
2007320053.tif 000003
【図２】
2007320053.tif 000004
【図３】
2007320053.tif 000005
【図４】
2007320053.tif 000006
【図５】
2007320053.tif 000007
【図６】
2007320053.tif 000008
【図７】
2007320053.tif 000009
【図８】
2007320053.tif 000010
【図９】
2007320053.tif 000011
【図１０】
2007320053.tif 000012
【図１１】
2007320053.tif 000013
【図１２】
2007320053.tif 000014
【図１３】
2007320053.tif 000015
【図１４】
2007320053.tif 000016
【図１５】
2007320053.tif 000017
【図１６】
2007320053.tif 000018
【図１７】
2007320053.tif 000019
【図１８】
2007320053.tif 000020
【図１９】
2007320053.tif 000021
【図２０】
2007320053.tif 000022
【図２１】
2007320053.tif 000023
【図２２】
2007320053.tif 000024
【図２３】
2007320053.tif 000025
【図２４】
2007320053.tif 000026
【図２５】
2007320053.tif 000027
【図２６】
2007320053.tif 000028
【図２７】
2007320053.tif 000029
【図２８】
2007320053.tif 000030
【図２９】
2007320053.tif 000031
【図３０】
2007320053.tif 000032
【図３１】
2007320053.tif 000033
【図３２】
2007320053.tif 000034
【図３３】
2007320053.tif 000035
【図３４】
2007320053.tif 000036
【図３５】
2007320053.tif 000037
【図３６】
2007320053.tif 000038
【図３７】
2007320053.tif 000039
【図３８】
2007320053.tif 000040
【図３９】
2007320053.tif 000041
【図４０】
2007320053.tif 000042
【図４１】
2007320053.tif 000043
【図４２】
2007320053.tif 000044
【図４３】
2007320053.tif 000045
【図４４】
2007320053.tif 000046
【図４５】
2007320053.tif 000047
【図４６】
2007320053.tif 000048
【図４７】
2007320053.tif 000049
【図４８】
2007320053.tif 000050
【図４９】
2007320053.tif 000051
【図５０】
2007320053.tif 000052
【図５１】
2007320053.tif 000053
【図５２】
2007320053.tif 000054
【図５３】
2007320053.tif 000055
【図５４】
2007320053.tif 000056
【図５５】
2007320053.tif 000057
【図５６】
2007320053.tif 000058
【図５７】
2007320053.tif 000059